(57)【要約】  本開示は、端末の周波数内測定始動方法、装置、端末及び基地局を提供する。前記方法において、端末が、周波数内測定を始動させるか否かを判断するためのパラメータ情報を基地局から取得するステップと、前記パラメータ情報に基づいて、周波数内測定を行うか否かを判断するステップとを含む。【選択図】  図１
2020517180.tif 000002
【特許請求の範囲】
【請求項１】
周波数内測定を始動させるか否かを判断するためのパラメータ情報を基地局から取得するステップと、
前記パラメータ情報に基づいて、周波数内測定を行うか否かを判断するステップと、
を含む端末の周波数内測定始動方法。
【請求項２】
前記パラメータ情報は、
基地局の送信電力情報、
端末の受信電力と比較される第１閾値情報および第１閾値情報の補充情報、
端末の受信信号品質と比較される第２閾値情報、および
端末の受信の信号対干渉雑音比と比較される第３閾値情報のうちの１つまたは複数を含む請求項１に記載の方法。
【請求項３】
前記パラメータ情報は、端末の受信電力と比較される第１閾値情報および第１閾値情報の補充情報であり、
前記の前記パラメータ情報に基づいて、周波数内測定を行うか否かを判断するステップは、
第１閾値情報および第１閾値情報の補充情報に基づいて、端末の受信電力と比較するための第１数値を取得するステップと、
前記第１数値と端末の受信電力に基づいて、周波数内測定を行うか否かを判断するステップとを含む請求項２に記載の方法。
【請求項４】
前記の前記第１数値と端末の受信電力に基づいて、周波数内測定を行うか否かを判断するステップは、
端末の受信電力が第１数値より大きい場合、端末の周波数内測定を行わなくてもよいと判断するステップと、
端末の受信電力が第１数値以下である場合、端末の周波数内測定を行う必要があると判断するステップとを含む請求項３に記載の方法。
【請求項５】
前記パラメータ情報は、端末の受信電力と比較される第１閾値情報および第１閾値情報の補充情報、および端末の受信信号品質と比較される第２閾値情報を含み、
前記の前記パラメータ情報に基づいて、周波数内測定を行うか否かを判断するステップは、
前記第１閾値情報および第１閾値情報の補充情報に基づいて、端末の受信電力と比較するための第１数値を取得し、前記第２閾値情報に基づいて第２数値を得るステップと、
端末の受信電力と第１数値を比較し、端末の受信信号品質と第２数値を比較するステップと、
端末の受信電力が第１数値より大きくかつ端末の受信信号品質が第２数値より大きい場合、端末の周波数内測定を行わなくてもよいと判断するステップと、
端末の受信電力が第１数値以下であり、または端末の受信信号品質が第２数値以下である場合、端末の周波数内測定を行う必要があると判断するステップとを含む請求項２に記載の方法。
【請求項６】
前記パラメータ情報は、端末の受信電力と比較される第１閾値情報および第１閾値情報の補充情報、および端末の受信の信号対干渉雑音比と比較される第３閾値情報を含み、
前記の前記パラメータ情報に基づいて、周波数内測定を行うか否かを判断するステップは、
前記第１閾値情報および第１閾値情報の補充情報に基づいて、端末の受信電力と比較するための第１数値を取得し、前記第３閾値情報に基づいて第３数値を得るステップと、
端末の受信電力と第１数値を比較し、端末の受信の信号対干渉雑音比と第３数値を比較するステップと、
端末の受信電力が第１数値より大きくかつ端末の受信の信号対干渉雑音比が第３数値より大きい場合、端末の周波数内測定を行わなくてもよいと判断するステップと、
端末の受信電力が第１数値以下であり、または端末の受信の信号対干渉雑音比が第３数値以下である場合、端末の周波数内測定を行う必要があると判断するステップとを含む請求項２に記載の方法。
【請求項７】
前記パラメータ情報は、基地局の送信電力情報、および端末の受信電力と比較される第１閾値情報および第１閾値情報の補充情報を含み、
前記の前記パラメータ情報に基づいて、周波数内測定を行うか否かを判断するステップは、
前記基地局の送信電力情報、前記第１閾値情報および第１閾値情報の補充情報に基づいて、端末の受信電力と比較するための第４数値を取得するステップと、
端末の受信電力と第４数値を比較するステップと、
端末の受信電力が第４数値より大きい場合、端末の周波数内測定を行わなくてもよいと判断するステップと、
端末の受信電力が第４数値以下である場合、端末の周波数内測定を行う必要があると判断するステップとを含む請求項２に記載の方法。
【請求項８】
前記パラメータ情報は、基地局の送信電力情報、端末の受信電力と比較される第１閾値情報および第１閾値情報の補充情報、および端末の受信信号品質と比較される第２閾値情報を含み、
前記の前記パラメータ情報に基づいて、周波数内測定を行うか否かを判断するステップは、
前記基地局の送信電力情報、前記第１閾値情報および閾値情報の補充情報に基づいて、端末の受信電力と比較するための第４数値を取得し、前記第２閾値情報に基づいて第２数値を得るステップと、
端末の受信電力と第４数値を比較し、端末の受信信号品質と第２数値を比較するステップと、
端末の受信電力が第４数値より大きくかつ端末の受信信号品質が第２数値より大きい場合、端末の周波数内測定を行わなくてもよいと判断するステップと、
端末の受信電力が第４数値以下であり、または端末の受信信号品質が第２数値以下である場合、端末の周波数内測定を行う必要があると判断するステップとを含む請求項２に記載の方法。
【請求項９】
前記パラメータ情報は、基地局の送信電力情報、端末の受信電力と比較される第１閾値情報および第１閾値情報の補充情報、および端末の受信の信号対干渉雑音比と比較される第３閾値情報を含み、
前記の前記パラメータ情報に基づいて、周波数内測定を行うか否かを判断するステップは、
前記基地局の送信電力情報、前記第１閾値情報および第１閾値情報の補充情報に基づいて、端末の受信電力と比較するための第４数値を取得し、前記第３閾値情報に基づいて第３数値を得るステップと、
端末の受信電力と第４数値を比較し、端末の受信の信号対干渉雑音比と第３数値を比較するステップと、
端末の受信電力が第４数値より大きくかつ端末の受信の信号対干渉雑音比が第３数値より大きい場合、端末の周波数内測定を行わなくてもよいと判断するステップと、
端末の受信電力が第４数値以下であり、または端末の受信の信号対干渉雑音比が第３数値以下である場合、端末の周波数内測定を行う必要があると判断するステップとを含む請求項２に記載の方法。
【請求項１０】
周波数内測定を始動させるか否かを判断するためのパラメータ情報を基地局から取得するパラメータ取得ユニットと、
前記パラメータ情報に基づいて、周波数内測定を行うか否かを判断する測定決定ユニットとを含む周波数内測定始動装置。
【請求項１１】
前記パラメータ情報は、
基地局の送信電力情報、
端末の受信電力と比較される第１閾値情報および第１閾値情報の補充情報、
端末の受信信号品質と比較される第２閾値情報、および
端末の受信の信号対干渉雑音比と比較される第３閾値情報のうちの１つまたは複数を含む請求項１０に記載の周波数内測定始動装置。
【請求項１２】
前記パラメータ情報は、端末の受信電力と比較される第１閾値情報および第１閾値情報の補充情報であり、
前記測定決定ユニットは、
第１閾値情報および第１閾値情報の補充情報に基づいて、端末の受信電力と比較するための第１数値を取得する第１取得ユニットと、
前記第１数値と端末の受信電力に基づいて、周波数内測定を行うか否かを判断する第１判断ユニットとを含む請求項１１に記載の周波数内測定始動装置。
【請求項１３】
前記第１判断ユニットは、
端末の受信電力が第１数値より大きい場合、端末の周波数内測定を行わなくてもよいと判断する第１出力ユニットと、
端末の受信電力が第１数値以下である場合、端末の周波数内測定を行う必要があると判断する第２出力ユニットとを含む請求項１２に記載の周波数内測定始動装置。
【請求項１４】
前記パラメータ情報は、端末の受信電力と比較される第１閾値情報および第１閾値情報の補充情報、および端末の受信信号品質と比較される第２閾値情報を含み、
前記測定決定ユニットは、
前記第１閾値情報および第１閾値情報の補充情報に基づいて、端末の受信電力と比較するための第１数値を取得し、前記第２閾値情報に基づいて第２数値を得る第２取得ユニットと、
端末の受信電力と第１数値を比較し、端末の受信信号品質と第２数値を比較し、端末の受信電力が第１数値より大きくかつ端末の受信信号品質が第２数値より大きい場合、端末の周波数内測定を行わなくてもよいと判断し、端末の受信電力が第１数値以下であり、または端末の受信信号品質が第２数値以下である場合、端末の周波数内測定を行う必要があると判断する第２判断ユニットとを含む請求項１１に記載の周波数内測定始動装置。
【請求項１５】
前記パラメータ情報は、端末の受信電力と比較される第１閾値情報および第１閾値情報の補充情報、および端末の受信の信号対干渉雑音比と比較される第３閾値情報を含み、
前記測定決定ユニットは、
前記第１閾値情報および第１閾値情報の補充情報に基づいて、端末の受信電力と比較するための第１数値を取得し、前記第２閾値情報に基づいて第２数値を得、前記第３閾値情報に基づいて第３数値を得る第３取得ユニットと、
端末の受信電力と第１数値を比較し、端末の受信の信号対干渉雑音比と第３数値を比較し、端末の受信電力が第１数値より大きくかつ端末の受信の信号対干渉雑音比が第３数値より大きい場合、端末の周波数内測定を行わなくてもよいと判断し、端末の受信電力が第１数値以下であり、または端末の受信の信号対干渉雑音比が第３数値以下である場合、端末の周波数内測定を行う必要があると判断する第３判断ユニットとを含む請求項１１に記載の周波数内測定始動装置。
【請求項１６】
前記パラメータ情報は、基地局の送信電力情報、および端末の受信電力と比較される第１閾値情報および第１閾値情報の補充情報を含み、
前記測定決定ユニットは、
前記基地局の送信電力情報、前記第１閾値情報および第１閾値情報の補充情報に基づいて、端末の受信電力と比較するための第４数値を取得する第４取得ユニットと、
端末の受信電力と第４数値を比較し、端末の受信電力が第４数値より大きい場合、端末の周波数内測定を行わなくてもよいと判断し、端末の受信電力が第４数値以下である場合、端末の周波数内測定を行う必要があると判断する第４判断ユニットとを含む請求項１１に記載の周波数内測定始動装置。
【請求項１７】
前記パラメータ情報は、基地局の送信電力情報、端末の受信電力と比較される第１閾値情報および第１閾値情報の補充情報、および端末の受信信号品質と比較される第２閾値情報を含み、
前記測定決定ユニットは、
前記基地局の送信電力情報、前記第１閾値情報および閾値情報の補充情報に基づいて、端末の受信電力と比較するための第４数値を取得し、前記第２閾値情報に基づいて第２数値を得る第５取得ユニットと、
端末の受信電力と第４数値を比較し、端末の受信信号品質と第２数値を比較し、端末の受信電力が第４数値より大きくかつ端末の受信信号品質が第２数値より大きい場合、端末の周波数内測定を行わなくてもよいと判断し、端末の受信電力が第４数値以下であり、または端末の受信信号品質が第２数値以下である場合、端末の周波数内測定を行う必要があると判断する第５判断ユニットとを含む請求項１１に記載の周波数内測定始動装置。
【請求項１８】
前記パラメータ情報は、基地局の送信電力情報、端末の受信電力と比較される第１閾値情報および第１閾値情報の補充情報、および端末の受信の信号対干渉雑音比と比較される第３閾値情報を含み、
前記測定決定ユニットは、
前記基地局の送信電力情報、前記第１閾値情報および第１閾値情報の補充情報に基づいて、端末の受信電力と比較するための第４数値を取得し、前記第３閾値情報に基づいて第３数値を得る第６取得ユニットと、
端末の受信電力と第４数値を比較し、端末の受信の信号対干渉雑音比と第３数値を比較し、端末の受信電力が第４数値より大きくかつ端末の受信の信号対干渉雑音比が第３数値より大きい場合、端末の周波数内測定を行わなくてもよいと判断し、端末の受信電力が第４数値以下であり、または端末の受信の信号対干渉雑音比が第３数値以下である場合、端末の周波数内測定を行う必要があると判断する第６判断ユニットとを含む請求項１１に記載の周波数内測定始動装置。
【請求項１９】
１つまたは複数のプロセッサと、メモリと、１つまたは複数のプログラムを含む端末において、
前記１つまたは複数のプログラムは、前記メモリに記憶され、前記１つまたは複数のプロセッサによって実行されるように構成され、
前記プログラムが実行されると、請求項１〜９のいずれか一項に記載の端末の周波数内測定始動方法のステップが実現される端末。
【請求項２０】
基地局が、端末の周波数内測定を始動させるか否かを判断するためのパラメータ情報を特定するステップと、
基地局が、前記の端末の周波数内測定を始動させるか否かを判断するためのパラメータ情報を端末に送信するステップとを含む端末の周波数内測定始動方法。
【請求項２１】
前記パラメータ情報は、
基地局の送信電力情報、
端末の受信電力と比較される第１閾値情報および第１閾値情報の補充情報、
ここで、第１閾値情報がその補充情報とともに、新規の閾値に対応するフィールドを構成し、または、第１閾値情報は、受信電力の比較用の参照閾値を示し、第１閾値情報の補充情報は、当該参照閾値に対応する基地局の参照送信電力を示し、
端末の受信信号品質と比較される第２閾値情報、および
端末の受信の信号対干渉雑音比と比較される第３閾値情報のうちの１つまたは複数を含む請求項２０に記載の方法。
【請求項２２】
端末の周波数内測定を始動させるか否かを判断するためのパラメータ情報を特定する特定ユニットと、
前記の端末の周波数内測定を始動させるか否かを判断するためのパラメータ情報を端末に送信する送信ユニットとを含む周波数内測定始動装置。
【請求項２３】
前記パラメータ情報は、
基地局の送信電力情報、
端末の受信電力と比較される第１閾値情報および第１閾値情報の補充情報、
ここで、第１閾値情報がその補充情報とともに、新規の閾値に対応するフィールドを構成し、または、第１閾値情報は、受信電力の比較用の参照閾値を示し、第１閾値情報の補充情報は、当該参照閾値に対応する基地局の参照送信電力を示し、
端末の受信信号品質と比較される第２閾値情報、および
端末の受信の信号対干渉雑音比と比較される第３閾値情報のうちの１つまたは複数を含む請求項２２に記載の周波数内測定始動装置。
【請求項２４】
プロセッサによって実行可能なコンピュータ読み取り可能な指令が記憶されている非揮発性のコンピュータ読み取り可能な記憶媒体であって、
前記コンピュータ読み取り可能な指令がプロセッサによって実行されると、
前記プロセッサは、
周波数内測定を始動させるか否かを判断するためのパラメータ情報を基地局から取得する処理と、
前記パラメータ情報に基づいて、周波数内測定を行うか否かを判断する処理とを実行する非揮発性のコンピュータ読み取り可能な記憶媒体。
【請求項２５】
プロセッサと、トランシーバと、メモリとを含む周波数内測定始動装置において、
前記プロセッサは、前記メモリからプログラムを読み取ることによって、
端末の周波数内測定を始動させるか否かを判断するためのパラメータ情報を特定するプロセスと、
前記の端末の周波数内測定を始動させるか否かを判断するためのパラメータ情報を端末に送信するプロセスとを実行し、
前記トランシーバは、データを送受信し、
前記メモリは、前記プロセッサによる処理実行に用いられるデータを保存する周波数内測定始動装置。
【請求項２６】
プロセッサによって実行可能なコンピュータ読み取り可能な指令が記憶されている非揮発性のコンピュータ読み取り可能な記憶媒体であって、
前記コンピュータ読み取り可能な指令がプロセッサによって実行されると、
前記プロセッサは、
端末の周波数内測定を始動させるか否かを判断するためのパラメータ情報を特定する処理と、
前記の端末の周波数内測定を始動させるか否かを判断するためのパラメータ情報を端末に送信する処理とを実行する非揮発性のコンピュータ読み取り可能な記憶媒体。
【発明の詳細な説明】
【技術分野】
【０００１】
本願は、２０１７年４月１４日に中国特許庁に提出された中国特許出願２０１７１０２４４５１４．５の優先権を主張し、その全ての内容が援用によりここに取り込まれる。
【０００２】
本開示は、移動通信技術分野に係り、特に端末の周波数内測定始動方法、装置、端末及び基地局に係る。
【背景技術】
【０００３】
関連技術のセル再選択フローにおいて、端末は、現在セルのＳｒｘｌｅｖ（ＲＳＲＰ）が再選択閾値より低く、または、Ｓｑｕａｌ（ＲＳＲＱ）が再選択閾値Ｑより低いことを検出すると、周波数内測定（ｉｎｔｒａ−ｆｒｅｑｕｅｎｃｙ  ｍｅａｓｕｒｅｍｅｎｔ）を始動させてセルを再選択しようとする。ここで、Ｓｒｘｌｅｖは、セル選択の受信電力値を示し、Ｓｑｕａｌは、セル選択の受信信号品質値を示す。例えば、関連技術における１つのＳルールは、以下である。
Ｓｒｘｌｅｖ＝Ｑｒｘｌｅｖｍｅａｓ-Ｑｒｘｌｅｖｍｉｎ
Ｓｑｕａｌ＝Ｑｑｕａｌｍｅａｓ-Ｑｑｕａｌｍｉｎ
【０００４】
上記式において、Ｑｒｘｌｅｖｍｅａｓは、端末が測定して得た受信電力値を示し、当該値が、測定して得たＲＳＲＰ（ｄＢｍ）である。Ｑｒｘｌｅｖｍｉｎは、当該セルに求められる最小受信電力値を示し、当該値が、通常、システム情報ブロック１（ＳＩＢ１）のｑ−ＲｘＬｅｖＭｉｎで指示される（ｄＢｍ）。Ｑｑｕａｌｍｅａｓは、測定して得たセルのＥＣ／ＮＯ値を示す。Ｑｑｕａｌｍｉｎは、セルに求められるＥＣ／ＮＯ値を示し、通常ＳＩＢ３から読み取られる。ＥＣ／ＮＯは、信号対干渉雑音比の値を示す。
【０００５】
３ＧＰＰ  ＴＳ３６．３０４に基づき、ＬＴＥ端末の場合、Ｓｒｘｌｅｖ＞ＳＩｎｔｒａＳｅａｒｃｈＰとＳｑｕａｌ＞ＳＩｎｔｒａＳｅａｒｃｈＱを満たすのであれば、再選択の測定を行う必要がない。セルラーに基づくＮＢ−ＩｏＴ（Ｎａｒｒｏｗ  Ｂａｎｄ  Ｉｎｔｅｒｎｅｔ  ｏｆ  Ｔｈｉｎｇｓ）端末の場合、Ｓｒｘｌｅｖ＞ＳＩｎｔｒａＳｅａｒｃｈＰを満たすのであれば、再選択の測定を行う必要がない。
【０００６】
上記ルールは、再選択の測定始動判定と称してもよい。
【０００７】
ここで、再選択閾値ＳＩｎｔｒａＳｅａｒｃｈＰとＳＩｎｔｒａＳｅａｒｃｈＱは、それぞれ、基地局からブロードキャストメッセージ（ＳＩＢ３）によって周波数内セル検索の閾値「ｓ−ＩｎｔｒａＳｅａｒｃｈＰ−ｒ９」＝「ＲｅｓｅｌｅｃｔｉｏｎＴｈｒｅｓｈｏｌｄ」の値が（０〜３１の整数）ｘ２［ｄＢ］であり、「ｓ−ＩｎｔｒａＳｅａｒｃｈＱ−ｒ９」＝「ＲｅｓｅｌｅｃｔｉｏｎＴｈｒｅｓｈｏｌｄＱ−ｒ９」の値が（０〜３１の整数）［ｄＢ］であることをブロードキャストする。
【０００８】
具体的に、
2020517180.tif 000003
2020517180.tif 000004
【０００９】
以上の再選択閾値ＳＩｎｔｒａＳｅａｒｃｈＰとＳＩｎｔｒａＳｅａｒｃｈＱの値の範囲は、それぞれ０〜６２ｄＢと０〜３１ｄＢであり、再選択閾値ＳｉｎｔｒａｓｅａｒｃｈＰの値の範囲が相対的に小さいことが分かる。実際の応用において、基地局同士の距離が近すぎたり、一部の基地局の電力が比較的大きかったりして、電力が再選択始動のレンジを超えてしまうことが生じやすい。この場合、たとえ端末がある隣接セルの基地局の近くまで移動したとしても、周波数内測定が始動されず、隣接セルへの再選択ができない。
【発明の概要】
【発明が解決しようとする課題】
【００１０】
本開示の実施例は、基地局から送信され、周波数内測定を始動させるか否かを判断するためのパラメータ情報を、より大きい数値範囲を示すことができるように拡張させることによって、端末による周波数内測定をタイムリーに始動させる、端末の周波数内測定始動方法、装置、端末及び基地局を提供する。
【課題を解決するための手段】
【００１１】
上記の技術課題を解決するために、本開示の実施例における端末の周波数内測定始動方法において、
周波数内測定を始動させるか否かを判断するためのパラメータ情報を基地局から取得するステップと、
前記パラメータ情報に基づいて、周波数内測定を行うか否かを判断するステップと、
を含む。
【００１２】
選択可能に、前記方法において、前記パラメータ情報は、
基地局の送信電力情報、
端末の受信電力と比較される第１閾値情報および第１閾値情報の補充情報、
端末の受信信号品質と比較される第２閾値情報、および
端末の受信の信号対干渉雑音比と比較される第３閾値情報のうちの１つまたは複数を含む。
【００１３】
選択可能に、前記方法において、前記パラメータ情報は、端末の受信電力と比較される第１閾値情報および第１閾値情報の補充情報であり、
前記の前記パラメータ情報に基づいて、周波数内測定を行うか否かを判断するステップは、
第１閾値情報および第１閾値情報の補充情報に基づいて、端末の受信電力と比較するための第１数値を取得するステップと、
前記第１数値と端末の受信電力に基づいて、周波数内測定を行うか否かを判断するステップとを含む。
【００１４】
選択可能に、前記方法において、前記の前記第１数値と端末の受信電力に基づいて、周波数内測定を行うか否かを判断するステップは、
端末の受信電力が第１数値より大きい場合、端末の周波数内測定を行わなくてもよいと判断するステップと、
端末の受信電力が第１数値以下である場合、端末の周波数内測定を行う必要があると判断するステップとを含む。
【００１５】
選択可能に、前記方法において、前記パラメータ情報は、端末の受信電力と比較される第１閾値情報および第１閾値情報の補充情報、および端末の受信信号品質と比較される第２閾値情報を含み、
前記の前記パラメータ情報に基づいて、周波数内測定を行うか否かを判断するステップは、
前記第１閾値情報および第１閾値情報の補充情報に基づいて、端末の受信電力と比較するための第１数値を取得し、前記第２閾値情報に基づいて第２数値を得るステップと、
端末の受信電力と第１数値を比較し、端末の受信信号品質と第２数値を比較するステップと、
端末の受信電力が第１数値より大きくかつ端末の受信信号品質が第２数値より大きい場合、端末の周波数内測定を行わなくてもよいと判断するステップと、
端末の受信電力が第１数値以下であり、または端末の受信信号品質が第２数値以下である場合、端末の周波数内測定を行う必要があると判断するステップとを含む。
【００１６】
選択可能に、前記方法において、前記パラメータ情報は、端末の受信電力と比較される第１閾値情報および第１閾値情報の補充情報、および端末の受信の信号対干渉雑音比と比較される第３閾値情報を含み、
前記の前記パラメータ情報に基づいて、周波数内測定を行うか否かを判断するステップは、
前記第１閾値情報および第１閾値情報の補充情報に基づいて、端末の受信電力と比較するための第１数値を取得し、前記第３閾値情報に基づいて第３数値を得るステップと、
端末の受信電力と第１数値を比較し、端末の受信の信号対干渉雑音比と第３数値を比較するステップと、
端末の受信電力が第１数値より大きくかつ端末の受信の信号対干渉雑音比が第３数値より大きい場合、端末の周波数内測定を行わなくてもよいと判断するステップと、
端末の受信電力が第１数値以下であり、または端末の受信の信号対干渉雑音比が第３数値以下である場合、端末の周波数内測定を行う必要があると判断するステップとを含む。
【００１７】
選択可能に、前記方法において、前記パラメータ情報は、基地局の送信電力情報、および端末の受信電力と比較される第１閾値情報および第１閾値情報の補充情報を含み、
前記の前記パラメータ情報に基づいて、周波数内測定を行うか否かを判断するステップは、
前記基地局の送信電力情報、前記第１閾値情報および第１閾値情報の補充情報に基づいて、端末の受信電力と比較するための第４数値を取得するステップと、
端末の受信電力と第４数値を比較するステップと、
端末の受信電力が第４数値より大きい場合、端末の周波数内測定を行わなくてもよいと判断するステップと、
端末の受信電力が第４数値以下である場合、端末の周波数内測定を行う必要があると判断するステップとを含む。
【００１８】
選択可能に、前記方法において、前記パラメータ情報は、基地局の送信電力情報、端末の受信電力と比較される第１閾値情報および第１閾値情報の補充情報、および端末の受信信号品質と比較される第２閾値情報を含み、
前記の前記パラメータ情報に基づいて、周波数内測定を行うか否かを判断するステップは、
前記基地局の送信電力情報、前記第１閾値情報および閾値情報の補充情報に基づいて、端末の受信電力と比較するための第４数値を取得し、前記第２閾値情報に基づいて第２数値を得るステップと、
端末の受信電力と第４数値を比較し、端末の受信信号品質と第２数値を比較するステップと、
端末の受信電力が第４数値より大きくかつ端末の受信信号品質が第２数値より大きい場合、端末の周波数内測定を行わなくてもよいと判断するステップと、
端末の受信電力が第４数値以下であり、または端末の受信信号品質が第２数値以下である場合、端末の周波数内測定を行う必要があると判断するステップとを含む。
【００１９】
選択可能に、前記方法において、前記パラメータ情報は、基地局の送信電力情報、端末の受信電力と比較される第１閾値情報および第１閾値情報の補充情報、および端末の受信の信号対干渉雑音比と比較される第３閾値情報を含み、
前記の前記パラメータ情報に基づいて、周波数内測定を行うか否かを判断するステップは、
前記基地局の送信電力情報、前記第１閾値情報および第１閾値情報の補充情報に基づいて、端末の受信電力と比較するための第４数値を取得し、前記第３閾値情報に基づいて第３数値を得るステップと、
端末の受信電力と第４数値を比較し、端末の受信の信号対干渉雑音比と第３数値を比較するステップと、
端末の受信電力が第４数値より大きくかつ端末の受信の信号対干渉雑音比が第３数値より大きい場合、端末の周波数内測定を行わなくてもよいと判断するステップと、
端末の受信電力が第４数値以下であり、または端末の受信の信号対干渉雑音比が第３数値以下である場合、端末の周波数内測定を行う必要があると判断するステップとを含む。
【００２０】
本開示の実施例において、
周波数内測定を始動させるか否かを判断するためのパラメータ情報を基地局から取得するパラメータ取得ユニットと、
前記パラメータ情報に基づいて、周波数内測定を行うか否かを判断する測定決定ユニットとを含む周波数内測定始動装置をさらに提供する。
【００２１】
選択可能に、前記装置において、前記パラメータ情報は、
基地局の送信電力情報、
端末の受信電力と比較される第１閾値情報および第１閾値情報の補充情報、
端末の受信信号品質と比較される第２閾値情報、および
端末の受信の信号対干渉雑音比と比較される第３閾値情報のうちの１つまたは複数を含む。
【００２２】
選択可能に、前記装置において、前記パラメータ情報は、端末の受信電力と比較される第１閾値情報および第１閾値情報の補充情報であり、
前記測定決定ユニットは、
第１閾値情報および第１閾値情報の補充情報に基づいて、端末の受信電力と比較するための第１数値を取得する第１取得ユニットと、
前記第１数値と端末の受信電力に基づいて、周波数内測定を行うか否かを判断する第１判断ユニットとを含む。
【００２３】
選択可能に、前記装置において、前記第１判断ユニットは、
端末の受信電力が第１数値より大きい場合、端末の周波数内測定を行わなくてもよいと判断する第１出力ユニットと、
端末の受信電力が第１数値以下である場合、端末の周波数内測定を行う必要があると判断する第２出力ユニットとを含む。
【００２４】
選択可能に、前記装置において、前記パラメータ情報は、端末の受信電力と比較される第１閾値情報および第１閾値情報の補充情報、および端末の受信信号品質と比較される第２閾値情報を含み、
前記測定決定ユニットは、
前記第１閾値情報および第１閾値情報の補充情報に基づいて、端末の受信電力と比較するための第１数値を取得し、前記第２閾値情報に基づいて第２数値を得る第２取得ユニットと、
端末の受信電力と第１数値を比較し、端末の受信信号品質と第２数値を比較し、端末の受信電力が第１数値より大きくかつ端末の受信信号品質が第２数値より大きい場合、端末の周波数内測定を行わなくてもよいと判断し、端末の受信電力が第１数値以下であり、または端末の受信信号品質が第２数値以下である場合、端末の周波数内測定を行う必要があると判断する第２判断ユニットとを含む。
【００２５】
選択可能に、前記装置において、前記パラメータ情報は、端末の受信電力と比較される第１閾値情報および第１閾値情報の補充情報、および端末の受信の信号対干渉雑音比と比較される第３閾値情報を含み、
前記測定決定ユニットは、
前記第１閾値情報および第１閾値情報の補充情報に基づいて、端末の受信電力と比較するための第１数値を取得し、前記第２閾値情報に基づいて第２数値を得、前記第３閾値情報に基づいて第３数値を得る第３取得ユニットと、
端末の受信電力と第１数値を比較し、端末の受信の信号対干渉雑音比と第３数値を比較し、端末の受信電力が第１数値より大きくかつ端末の受信の信号対干渉雑音比が第３数値より大きい場合、端末の周波数内測定を行わなくてもよいと判断し、端末の受信電力が第１数値以下であり、または端末の受信の信号対干渉雑音比が第３数値以下である場合、端末の周波数内測定を行う必要があると判断する第３判断ユニットとを含む。
【００２６】
選択可能に、前記装置において、前記パラメータ情報は、基地局の送信電力情報、および端末の受信電力と比較される第１閾値情報および第１閾値情報の補充情報を含み、
前記測定決定ユニットは、
前記基地局の送信電力情報、前記第１閾値情報および第１閾値情報の補充情報に基づいて、端末の受信電力と比較するための第４数値を取得する第４取得ユニットと、
端末の受信電力と第４数値を比較し、端末の受信電力が第４数値より大きい場合、端末の周波数内測定を行わなくてもよいと判断し、端末の受信電力が第４数値以下である場合、端末の周波数内測定を行う必要があると判断する第４判断ユニットとを含む。
【００２７】
選択可能に、前記装置において、前記パラメータ情報は、基地局の送信電力情報、端末の受信電力と比較される第１閾値情報および第１閾値情報の補充情報、および端末の受信信号品質と比較される第２閾値情報を含み、
前記測定決定ユニットは、
前記基地局の送信電力情報、前記第１閾値情報および閾値情報の補充情報に基づいて、端末の受信電力と比較するための第４数値を取得し、前記第２閾値情報に基づいて第２数値を得る第５取得ユニットと、
端末の受信電力と第４数値を比較し、端末の受信信号品質と第２数値を比較し、端末の受信電力が第４数値より大きくかつ端末の受信信号品質が第２数値より大きい場合、端末の周波数内測定を行わなくてもよいと判断し、端末の受信電力が第４数値以下であり、または端末の受信信号品質が第２数値以下である場合、端末の周波数内測定を行う必要があると判断する第５判断ユニットとを含む。
【００２８】
選択可能に、前記装置において、前記パラメータ情報は、基地局の送信電力情報、端末の受信電力と比較される第１閾値情報および第１閾値情報の補充情報、および端末の受信の信号対干渉雑音比と比較される第３閾値情報を含み、
前記測定決定ユニットは、
前記基地局の送信電力情報、前記第１閾値情報および第１閾値情報の補充情報に基づいて、端末の受信電力と比較するための第４数値を取得し、前記第３閾値情報に基づいて第３数値を得る第６取得ユニットと、
端末の受信電力と第４数値を比較し、端末の受信の信号対干渉雑音比と第３数値を比較し、端末の受信電力が第４数値より大きくかつ端末の受信の信号対干渉雑音比が第３数値より大きい場合、端末の周波数内測定を行わなくてもよいと判断し、端末の受信電力が第４数値以下であり、または端末の受信の信号対干渉雑音比が第３数値以下である場合、端末の周波数内測定を行う必要があると判断する第６判断ユニットとを含む。
【００２９】
本開示の実施例は、１つまたは複数のプロセッサと、メモリと、１つまたは複数のプログラムを含む端末をさらに提供する。
当該端末において、
前記１つまたは複数のプログラムは、前記メモリに記憶され、前記１つまたは複数のプロセッサによって実行されるように構成され、
前記プログラムが実行されると、上記の端末周波数内測定始動方法のステップが実現される。
【００３０】
本開示の実施例は、別の端末の周波数内測定始動方法をさらに提供する。
当該方法において、
基地局が、端末の周波数内測定を始動させるか否かを判断するためのパラメータ情報を特定するステップと、
基地局が、前記の端末の周波数内測定を始動させるか否かを判断するためのパラメータ情報を端末に送信するステップとを含む。
【００３１】
選択可能に、前記方法において、前記パラメータ情報は、
基地局の送信電力情報、
端末の受信電力と比較される第１閾値情報および第１閾値情報の補充情報、
ここで、第１閾値情報がその補充情報とともに、新規の閾値に対応するフィールドを構成し、または、第１閾値情報は、受信電力の比較用の参照閾値を示し、第１閾値情報の補充情報は、当該参照閾値に対応する基地局の参照送信電力を示し、
端末の受信信号品質と比較される第２閾値情報、および
端末の受信の信号対干渉雑音比と比較される第３閾値情報のうちの１つまたは複数を含む。
【００３２】
本開示の実施例は、別の周波数内測定始動装置をさらに提供する。
当該装置において、
端末の周波数内測定を始動させるか否かを判断するためのパラメータ情報を特定する特定ユニットと、
前記の端末の周波数内測定を始動させるか否かを判断するためのパラメータ情報を端末に送信する送信ユニットとを含む。
【００３３】
選択可能に、前記装置において、前記パラメータ情報は、
基地局の送信電力情報、
端末の受信電力と比較される第１閾値情報および第１閾値情報の補充情報、
ここで、第１閾値情報がその補充情報とともに、新規の閾値に対応するフィールドを構成し、または、第１閾値情報は、受信電力の比較用の参照閾値を示し、第１閾値情報の補充情報は、当該参照閾値に対応する基地局の参照送信電力を示し、
端末の受信信号品質と比較される第２閾値情報、および
端末の受信の信号対干渉雑音比と比較される第３閾値情報のうちの１つまたは複数を含む。
【００３４】
本開示の実施例は、プロセッサによって実行可能なコンピュータ読み取り可能な指令が記憶されている非揮発性のコンピュータ読み取り可能な記憶媒体をさらに提供する。
前記コンピュータ読み取り可能な指令がプロセッサによって実行されると、
前記プロセッサは、
周波数内測定を始動させるか否かを判断するためのパラメータ情報を基地局から取得する処理と、
前記パラメータ情報に基づいて、周波数内測定を行うか否かを判断する処理とを実行する。
【００３５】
本開示の実施例は、プロセッサと、トランシーバと、メモリとを含む周波数内測定の始動装置をさらに提供する。
前記プロセッサは、前記メモリからプログラムを読み取ることによって、
端末の周波数内測定を始動させるか否かを判断するためのパラメータ情報を特定するプロセスと、
前記の端末の周波数内測定を始動させるか否かを判断するためのパラメータ情報を端末に送信するプロセスとを実行し、
前記トランシーバは、データを送受信し、
前記メモリは、前記プロセッサによる処理実行に用いられるデータを保存する。
【００３６】
本開示の実施例は、プロセッサによって実行可能なコンピュータ読み取り可能な指令が記憶されている非揮発性のコンピュータ読み取り可能な記憶媒体をさらに提供する。
前記コンピュータ読み取り可能な指令がプロセッサによって実行されると、
前記プロセッサは、
端末の周波数内測定を始動させるか否かを判断するためのパラメータ情報を特定する処理と、
前記の端末の周波数内測定を始動させるか否かを判断するためのパラメータ情報を端末に送信する処理とを実行する。
【発明の効果】
【００３７】
関連技術より、本開示の実施例における端末の周波数内測定始動方法、装置、端末及び基地局によれば、端末が移動性パラメータを動的に調整することによって、セルの再選択や切り替えなどの移動性制御をタイムリーに行い、より好適な品質のネットワークサービスを取得することができる。また、本開示の実施例によれば、端末が、基地局の移動性パラメータ調整情報に基づいて移動性パラメータを自ら調整し、柔軟な移動性制御処理を実現することができる。
【図面の簡単な説明】
【００３８】
本開示の実施例の技術手段をより明確に説明するために、以下、本開示の実施例の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【００３９】
【図１】本開示の一部実施例における端末の周波数内測定始動方法のフローチャートである。
【図２】本開示の一部実施例における端末の周波数内測定始動方法の別のフローチャートである。
【図３】本開示の一部実施例における端末の周波数内測定始動方法の別のフローチャートである。
【図４】本開示の一部実施例における端末の周波数内測定始動方法の別のフローチャートである。
【図５】本開示の一部実施例における端末の周波数内測定始動方法の別のフローチャートである。
【図６】本開示の一部実施例における端末の周波数内測定始動方法の別のフローチャートである。
【図７】本開示の一部実施例における端末の周波数内測定始動方法の別のフローチャートである。
【図８】本開示の一部実施例における端末の周波数内測定始動方法の別のフローチャートである。
【図９】本開示の一部実施例における周波数内測定始動装置の構造図である。
【図１０】本開示の一部実施例における周波数内測定始動装置の別の構造図である。
【図１１】本開示の一部実施例における電子機器の構造図である。
【発明を実施するための形態】
【００４０】
本開示の解決しようとする技術課題、技術手段及び利点をより明確にするために、以下、図面および具体的な実施例を通じて詳細に記載する。以下の記載において、本開示の実施例に対する全面的理解へのほう助だけの目的で、具体的な構成や構成部品の特定な細部を提供する。よって、本開示の範囲や精神を逸脱することなく、ここに記載の実施例に対し様々な変更や修正を行うことができることは、当業者にとって自明である。また、明確化と簡潔化のために、周知されている機能や構造に関する記載を省略している。
【００４１】
なお、明細書の全文にわたって言及されている「１つの実施例」や「一実施例」とは、実施例に関連する特定の特徴、構造または特性が本開示の少なくとも１つの実施例に含まれることを意味する。従って、明細書の各箇所に記載されている「１つの実施例において」や「一実施例において」とは、必ずしも同一の実施例を指すとは限らない。また、これらの特定の特徴、構造または特性は、任意かつ適切な方式で１つまたは複数の実施例に組み入れられることができる。
【００４２】
本開示の各実施例において、下記各プロセスの番号の大きさは、実行順の前後を意味するのではなく、各プロセスの実行順は、その機能および内在的な論理によって確定されるものであり、本開示の実施例の実施プロセスに対しいっさい限定を構成しないと理解すべきである。
【００４３】
本開示の実施例において、基地局は、形態が限定されず、マクロ基地局（Ｍａｃｒｏ  Ｂａｓｅ  Ｓｔａｔｉｏｎ）、ピコ基地局（Ｐｉｃｏ  Ｂａｓｅ  Ｓｔａｔｉｏｎ）、Ｎｏｄｅ  Ｂ（３Ｇモバイル基地局の呼称）、ｅＮＢ（Ｅｎｈａｎｃｅｄ  Ｎｏｄｅ  Ｂ）、家庭強化型基地局（Ｆｅｍｔｏ  ｅＮＢまたはＨｏｍｅ  ｅＮｏｄｅ  ＢまたはＨｏｍｅ  ｅＮＢまたはＨｅＮＢ）、中継局、アクセスポイント、ＲＲＵ（Ｒｅｍｏｔｅ  Ｒａｄｉｏ  Ｕｎｉｔ）、ＲＲＨ（Ｒｅｍｏｔｅ  Ｒａｄｉｏ  Ｈｅａｄ）、５Ｇ移動通信システムにおけるネットワーク側ノードのＣＵ（Ｃｅｎｔｒａｌ  Ｕｎｉｔ）やＤＵ（Ｄｉｓｔｒｉｂｕｔｅｄ  Ｕｎｉｔ）などである。端末は、モバイル電話（または携帯電話）や、無線信号の送受信が可能な機器であり、ユーザ機器（ＵＥ）、パーソナルデジタルアシスタント（ＰＤＡ）、無線モデム、無線通信装置、ハンドヘルドデバイス、ラップトップコンピュータ、コードレス電話、無線ローカルループ（ＷＬＬ）局、移動信号をＷｉＦｉ信号に変換可能なＣＰＥ（Ｃｕｓｔｏｍｅｒ  Ｐｒｅｍｉｓｅ  Ｅｑｕｉｐｍｅｎｔ）やモバイルワイファイホットスポット、スマート家電、またはそれ以外の人の操作によらずに自発的に移動通信ネットワークと通信可能な機器などが含まれる。
【００４４】
図１を参照し、本開示の一部実施例における端末の周波数内測定始動方法は、端末に応用可能である。図１に示すように、当該方法において、以下のステップを含む。
【００４５】
ステップ１１において、周波数内測定を始動させるか否かを判断するためのパラメータ情報を基地局から取得する。
【００４６】
本開示の一部実施例において、前記周波数内測定を始動させるか否かを判断するためのパラメータ情報は、基地局の送信電力情報、端末の受信電力と比較される第１閾値情報および第１閾値情報の補充情報、端末の受信信号品質と比較される第２閾値情報、および端末の受信の信号対干渉雑音比と比較される第３閾値情報のうちの１つまたは複数を含む。
【００４７】
ここで、１つの実現方式として、第１閾値情報は、その補充情報とともに、新規の閾値に対応するフィールドを構成する。別の実現方式として、第１閾値情報は、受信電力の比較用の参照閾値を示し、第１閾値情報の補充情報は、当該参照閾値に対応する基地局の参照送信電力を示す。
【００４８】
ステップ１２において、前記パラメータ情報に基づいて、周波数内測定を行うか否かを判断する。
【００４９】
ここで、端末は、前記パラメータ情報を受信すると、前記パラメータ情報に基づいて、周波数内測定を始動させるための参照値を特定し、当該参照値と端末の現在の受信状態との比較結果に基づいて、周波数内測定を行う必要があるかを判断する。ここで、端末の現在の受信状態は、端末の受信電力、受信信号品質および受信の信号対干渉雑音比のうちの１つまたは複数を含む。周波数内測定を行う必要があると判断すると、周波数内の隣接セルの測定プロセスを始動させ、関連する測定パラメータを取得してネットワークに報知することによって、移動性制御を行う。
【００５０】
以上のステップによって、本開示の一部実施例において、基地局から送信され、周波数内測定を始動させるか否かを判断するためのパラメータ情報を拡張させることによって、端末は、前記パラメータ情報に基づいて、より大きい数値範囲を示すことのできる移動性パラメータを特定することができ、セル選択やセル切り替えなどの移動性制御に用いる。基地局から一定の移動性パラメータを直接的に送信する関連技術の方式より、本開示の一部実施例において、基地局から送信される前記パラメータ情報を拡張させ、移動性制御プロセスでより大きい受信電力範囲をサポート可能にし、端末によるタイムリーなセル再選択／切り替えを保証する。
【００５１】
本開示の一部実施例において、基地局から送信され、周波数内測定を始動させるか否かを判断するための前記パラメータ情報は、基地局の送信電力情報、端末の受信電力と比較される第１閾値情報および第１閾値情報の補充情報、端末の受信信号品質と比較される第２閾値情報、および端末の受信の信号対干渉雑音比と比較される第３閾値情報のうちの１つまたは複数を含む。好適な方式として、本開示の一部実施例において基地局から送信される前記パラメータ情報は、通常、少なくとも、端末の受信電力と比較される第１閾値情報および第１閾値情報の補充情報を含む。１つの実現方式として、基地局から送信される前記パラメータ情報は、上記第１閾値情報および上記補充情報のみを含む。別の実現方式として、前記パラメータ情報は、基地局の送信電力情報、端末の受信信号品質と比較される第２閾値情報、および端末の受信の信号対干渉雑音比と比較される第３閾値情報のうちの１つまたは複数を含む。
【００５２】
以下、基地局から送信される前記パラメータ情報の異なる内容を詳細に説明する。
【００５３】
図２を参照し、本開示の一部実施例における端末の周波数内測定始動方法の別のフローチャートである。当該方法は、端末に応用可能であり、図２に示すように、以下のステップを含む。
【００５４】
ステップ２１において、周波数内測定を始動させるか否かを判断するためのパラメータ情報を基地局から取得する。前記パラメータ情報は、端末の受信電力と比較される第１閾値情報および第１閾値情報の補充情報である。
【００５５】
ここで、前記パラメータ情報は、上記第１閾値情報およびその補充情報のみを含む。関連技術との汎用のために、第１閾値情報は、関連技術における電力閾値パラメータが用いられ、例えば、ＳｉｎｔｒａｓｅａｒｃｈＰフィールドが用いられる。ＳｉｎｔｒａｓｅａｒｃｈＰ＝ＲｅｓｅｌｅｃｔｉｏｎＴｈｒｅｓｈｏｌｄであり、５ビットから構成されるため、（０…３１）ｘ２の整数を示すことができる。より大きい数値範囲を得るには、本開示の一部実施例において、関連技術におけるＳｉｎｔｒａｓｅａｒｃｈＰを基に、第１閾値情報の補充情報を導入する。当該補充情報は、１または複数のビットを含む。例えば、関連技術におけるＳｉｎｔｒａｓｅａｒｃｈＰの５ビットを基に、さらに１ビットの第１閾値情報の補充情報を追加して６ビットのパラメータを得ることができる。当該パラメータは、（０…６３）ｘ２の整数を示すことができる。
【００５６】
以上の例は、単に第１閾値情報およびその補充情報の具体的な実現方式の１つである。本開示の一部の実施例は、ほかのカスタマイズ方式を採用することもでき、対応する情報を定義するフィールドおよび表現方式について、ここでは例示して説明しない。
【００５７】
ステップ２２において、第１閾値情報および第１閾値情報の補充情報に基づいて、端末の受信電力と比較するための第１数値を取得する。
【００５８】
ここで、本開示の一部実施例において、第１閾値情報の補充情報に基づいて第１閾値の範囲を拡張させる。補充情報が第１閾値情報とともに新規のフィールドを構成し、当該新規のフィールドに基づいて第１数値を特定する。例えば、上記の例のように、関連技術におけるＳｉｎｔｒａｓｅａｒｃｈＰ（第１閾値情報）の５ビットを基に、さらに１ビットの第１閾値情報の補充情報を追加して６ビットのパラメータを得ることができ、当該パラメータが（０…６３）ｘ２の整数を示すことができる。当該パラメータの数値に基づいて、端末の受信電力と比較するための第１数値を取得することができる。
【００５９】
ステップ２３において、前記第１数値と端末の受信電力に基づいて、周波数内測定を行うか否かを判断する。
【００６０】
第１数値を特定すると、第１数値と、端末によるセル受信電力の現在の測定結果に基づいて、周波数内の隣接セルの測定を行う必要があるかを判断する。具体的に、端末の受信電力が第１数値より大きい場合、端末の周波数内測定を行わなくてもよいと判断するが、端末の受信電力が第１数値以下である場合、端末の周波数内測定を行う必要があると判断する。
【００６１】
本開示の一部実施例において、第１閾値情報およびその補充情報を例とし、本開示の１つの実現方式を説明した。当該実現方式において、第１閾値情報で示すことのできる数値範囲を補充情報で拡張させることによって、より大きい電力閾値範囲をサポート可能にし、電力が移動性プロセス（例えばセルの再選択）を始動させるレンジを超えることによって移動性プロセスを始動させることができない問題を避ける。
【００６２】
図３を参照し、本開示の一部実施例における別の端末の周波数内測定始動方法の別のフローチャートである。当該方法は、端末に応用可能であり、図３に示すように、以下のステップを含む。
【００６３】
ステップ３１において、周波数内測定を始動させるか否かを判断するためのパラメータ情報を基地局から取得する。前記パラメータ情報は、端末の受信電力と比較される第１閾値情報および第１閾値情報の補充情報、および端末の受信信号品質と比較される第２閾値情報を含む。
【００６４】
ここで、前記パラメータ情報は、上記第１閾値情報およびその補充情報のほかに、前記第２閾値情報をさらに含む。類似的に、関連技術との汎用のために、第１閾値情報は、関連技術における電力閾値パラメータが用いられ、例えば、ＳｉｎｔｒａｓｅａｒｃｈＰフィールドが用いられる。ＳｉｎｔｒａｓｅａｒｃｈＰ＝ＲｅｓｅｌｅｃｔｉｏｎＴｈｒｅｓｈｏｌｄであり、５ビットから構成されるため、（０…３１）ｘ２の整数を示すことができる。より大きい数値範囲を得るには、本開示の一部実施例において、関連技術におけるＳｉｎｔｒａｓｅａｒｃｈＰを基に、第１閾値情報の補充情報を導入し、当該補充情報が１または複数のビットを含む。例えば、関連技術におけるＳｉｎｔｒａｓｅａｒｃｈＰの５ビットを基に、さらに１ビットの第１閾値情報の補充情報を追加して６ビットのパラメータを得ることができ、当該パラメータが（０…６３）ｘ２の整数を示すことができる。前記第２閾値情報は、関連技術におけるＳｉｎｔｒａｓｅａｒｃｈＱフィールド、すなわちＲＳＲＱの閾値が用いられる。
【００６５】
以上の例は、単に第１閾値情報およびその補充情報および第２閾値情報の具体的な実現方式の１つである。本開示の一部の実施例は、ほかのカスタマイズ方式を採用することもでき、対応する情報を定義するフィールドおよび表現方式について、ここでは例示して説明しない。
【００６６】
ステップ３２において、前記第１閾値情報および第１閾値情報の補充情報に基づいて、端末の受信電力と比較するための第１数値を取得し、前記第２閾値情報に基づいて第２数値を得る。
【００６７】
ここで、本開示の一部実施例において、第１閾値情報の補充情報に基づいて第１閾値の範囲を拡張させる。具体的に、補充情報が第１閾値情報とともに新規のフィールドを構成し、当該新規のフィールドに基づいて第１数値を特定する。例えば、上記の例のように、関連技術におけるＳｉｎｔｒａｓｅａｒｃｈＰ（第１閾値情報）の５ビットを基に、さらに１ビットの第１閾値情報の補充情報を追加して６ビットのパラメータを得ることができ、当該パラメータが（０…６３）ｘ２の整数を示すことができる。当該パラメータの数値に基づいて、端末の受信電力と比較するための第１数値を取得することができる。また、第２閾値情報に付帯される具体値に基づいて第２数値を得る。
【００６８】
ステップ３３において、前記第１数値、第２数値、端末の受信電力および端末の受信信号品質に基づいて、周波数内測定を行うかを判断する。
【００６９】
ここで、具体的に、端末の受信電力と第１数値を比較し、端末の受信信号品質と第２数値を比較する。端末の受信電力が第１数値より大きくかつ端末の受信信号品質が第２数値より大きい場合、端末の周波数内測定を行わなくてもよいと判断するが、端末の受信電力が第１数値以下であり、または端末の受信信号品質が第２数値以下である場合、端末の周波数内測定を行う必要があると判断する。
【００７０】
以上の実施例は、第１閾値情報およびその補充情報、および第２閾値情報を例とし、本開示の１つの実現方式を説明した。当該実現方式において、第１閾値情報で示すことのできる数値範囲を補充情報で拡張させることによって、より大きい電力閾値範囲をサポート可能にし、電力が移動性プロセス（例えばセルの再選択）を始動させるレンジを超えることによって移動性プロセスを始動させることができない問題を避ける。本開示の一部実施例において、第２閾値情報をさらに導入して端末の受信信号品質と比較し、受信電力と第１数値の比較結果、および、受信信号品質と第２数値の比較結果に基づいて、周波数内測定を行う必要があるかを特定する。
【００７１】
図４を参照し、本開示の一部実施例における別の端末の周波数内測定始動方法の別のフローチャートである。当該方法は、端末に応用可能であり、図４に示すように、以下のステップを含む。
【００７２】
ステップ４１において、周波数内測定を始動させるか否かを判断するためのパラメータ情報を基地局から取得する。前記パラメータ情報は、端末の受信電力と比較される第１閾値情報および第１閾値情報の補充情報、および端末の受信の信号対干渉雑音比と比較される第３閾値情報を含む。
【００７３】
ここで、前記パラメータ情報は、上記第１閾値情報およびその補充情報のほかに、前記第１閾値情報をさらに含む。類似的に、関連技術との汎用のために、第１閾値情報は、関連技術における電力閾値パラメータが用いられ、例えば、ＳｉｎｔｒａｓｅａｒｃｈＰフィールドが用いられる。ＳｉｎｔｒａｓｅａｒｃｈＰ＝ＲｅｓｅｌｅｃｔｉｏｎＴｈｒｅｓｈｏｌｄであり、５ビットから構成されるため、（０…３１）ｘ２の整数を示すことができる。より大きい数値範囲を得るには、本開示の一部実施例において、関連技術におけるＳｉｎｔｒａｓｅａｒｃｈＰを基に、第１閾値情報の補充情報を導入し、当該補充情報が１または複数のビットを含む。例えば、関連技術におけるＳｉｎｔｒａｓｅａｒｃｈＰの５ビットを基に、さらに１ビットの第１閾値情報の補充情報を追加して６ビットのパラメータを得ることができ、当該パラメータが（０…６３）ｘ２の整数を示すことができる。前記第３閾値情報は、ネットワーク側から特定されて配信されるＳＩＮＲの閾値情報である。
【００７４】
以上の例は、単に第１閾値情報およびその補充情報および第１閾値情報の具体的な実現方式の１つである。本開示の一部の実施例は、ほかのカスタマイズ方式を採用することもでき、対応する情報を定義するフィールドおよび表現方式について、ここでは例示して説明しない。
【００７５】
ステップ４２において、前記第１閾値情報および第１閾値情報の補充情報に基づいて、端末の受信電力と比較するための第１数値を取得し、前記第３閾値情報に基づいて第３数値を得る。
【００７６】
ここで、本開示の一部実施例において、第１閾値情報の補充情報に基づいて第１閾値の範囲を拡張させる。具体的に、補充情報が第１閾値情報とともに新規のフィールドを構成し、当該新規のフィールドに基づいて第１数値を特定する。例えば、上記の例のように、関連技術におけるＳｉｎｔｒａｓｅａｒｃｈＰ（第１閾値情報）の５ビットを基に、さらに１ビットの第１閾値情報の補充情報を追加して６ビットのパラメータを得ることができ、当該パラメータが（０…６３）ｘ２の整数を示すことができる。当該パラメータの数値に基づいて、端末の受信電力と比較するための第１数値を取得することができる。また、第３閾値情報に付帯される具体値に基づいて第３数値を得る。
【００７７】
ステップ４３において、前記第１数値、第３数値、端末の受信電力および端末の受信の信号対干渉雑音比に基づいて、周波数内測定を行うかを判断する。
【００７８】
ここで、具体的に、端末の受信電力と第１数値を比較し、端末の受信の信号対干渉雑音比と第３数値を比較する。端末の受信電力が第１数値より大きくかつ端末の受信の信号対干渉雑音比が第３数値より大きい場合、端末の周波数内測定を行わなくてもよいと判断するが、端末の受信電力が第１数値以下であり、または端末の受信の信号対干渉雑音比が第３数値以下である場合、端末の周波数内測定を行う必要があると判断する。
【００７９】
本開示の一部実施例は、第１閾値情報およびその補充情報、および第３閾値情報を例とし、本開示の１つの実現方式を説明した。当該実現方式において、第１閾値情報で示すことのできる数値範囲を補充情報で拡張させることによって、より大きい電力閾値範囲をサポート可能にし、電力が移動性プロセス（例えばセルの再選択）を始動させるレンジを超えることによって移動性プロセスを始動させることができない問題を避ける。本開示の一部実施例において、第３閾値情報をさらに導入して端末の受信の信号対干渉雑音比と比較し、受信電力と第１数値の比較結果、および、受信の信号対干渉雑音比と第３数値の比較結果に基づいて、周波数内測定を行う必要があるかを特定する。
【００８０】
図５を参照し、本開示の一部実施例における別の端末の周波数内測定始動方法の別のフローチャートである。当該方法は、端末に応用可能であり、図５に示すように、以下のステップを含む。
【００８１】
ステップ５１において、周波数内測定を始動させるか否かを判断するためのパラメータ情報を基地局から取得する。前記パラメータ情報は、基地局の送信電力情報、および端末の受信電力と比較される第１閾値情報および第１閾値情報の補充情報を含む。
【００８２】
ここで、端末は、前記基地局の実際の送信電力情報および第１閾値情報およびその補充情報を取得する。前記第１閾値情報は、受信電力の比較用の１つの参照閾値を示し、第１閾値情報の補充情報は、当該参照閾値に対応する基地局の参照送信電力を示す。すなわち、当該基地局の送信電力が当該参照送信電力である場合、受信電力の比較用の参照閾値は、第１閾値情報に付帯される数値である。
【００８３】
ここで、前記基地局の送信電力情報は、基地局から送信されるブロードキャスト情報から取得され、基地局の実際の送信電力を示す。例えば、基地局は、その送信電力情報をシステムメッセージに付帯してブロードキャスト送信し、端末は、基地局からブロードキャスト送信されるシステムメッセージから、基地局の送信電力情報を取得する。具体的に、システム情報ブロック２（ＳＩＢ２）の「ＰＤＳＣＨ−Ｃｏｎｆｉｇ」メッセージの「ｒｅｆｅｒｅｎｃｅＳｉｇｎａｌＰｏｗｅｒ」に基地局の送信電力情報を付帯する。「ｒｅｆｅｒｅｎｃｅＳｉｇｎａｌＰｏｗｅｒ」の値の範囲は、（−６０〜５０）であり、比較的大きい範囲の送信電力を示すことができる。「ＰＤＳＣＨ−Ｃｏｎｆｉｇ」の情報エレメント（ＩＥ）の定義は、以下であり、ｒｅｆｅｒｅｎｃｅＳｉｇｎａｌＰｏｗｅｒが含まれる。
2020517180.tif 000005
【００８４】
以上の例は、単に基地局から送信電力を通知する１つの実現方式である。これ以外に、基地局は、ほかのシステムメッセージまたは専用シグナリング（例えばＲＲＣシグナリング）によって前記送信電力情報を送信してもよい。
【００８５】
前記の端末の受信電力と比較される第１閾値情報および第１閾値情報の補充情報は、基地局からブロードキャストメッセージまたは所定のシグナリングメッセージ（例えばＲＲＣシグナリングメッセージ）によって端末に送信される。もちろん、前記第１閾値情報及びその補充情報は、端末側で予め設定されてもよい。
【００８６】
ステップ５２において、前記基地局の送信電力情報、前記第１閾値情報および第１閾値情報の補充情報に基づいて、端末の受信電力と比較するための第４数値を取得する。
【００８７】
ここで、第１閾値情報およびその補充情報で示す参照送信電力と参照閾値に基づいて、前記基地局の実際の送信電力情報に対応する実際の閾値を特定することによって、前記第４数値を取得する。具体的に、第１閾値情報の補充情報に対する前記基地局の送信電力情報のオフセットを算出し、それから、前記オフセットに基づいて、前記第１閾値情報を調整して第４数値を得る。
【００８８】
例えば、ネットワークからブロードキャストされる基地局の実際の送信電力が３２．２ｄＢｍであり、第１閾値情報で示す値は、６０ｄＢであり、第１閾値情報の補充情報で示す値は、１５．２ｄＢｍである（すなわち、基地局の送信電力が１５．２ｄＢｍである場合に対応する応用シーンであり、この場合端末に適用する閾値が６０ｄＢである。）。よって、基地局の実際の送信電力が３２．２ｄＢｍである場合、端末に適用する閾値は、６０ｄＢ＋（３２．２ｄＢｍ−１５．２ｄＢｍ）＝７７ｄＢである。すなわち、第４数値は、７７ｄＢである。
【００８９】
ステップ５３において、端末の受信電力と第４数値を比較し、周波数内測定を行うかを判断する。
【００９０】
ここで、具体的に、端末の受信電力が第４数値より大きい場合、端末の周波数内測定を行わなくてもよいと判断するが、端末の受信電力が第４数値以下である場合、端末の周波数内測定を行う必要があると判断する。
【００９１】
本開示の一部実施例において、第１閾値情報及びその補充情報、および基地局の送信電力を例とし、本開示の１つの実現方式を説明した。当該実現方式において、基地局から送信される第１閾値情報及びその補充情報によって、端末は、現在の受信電力に基づいて、第１閾値情報で示す閾値を調整することができ、基地局の実際の送信電力に基づく閾値の動的調整を実現し、移動性パラメータを動的に調整し、端末の移動性プロセスをタイムリーに始動させる。
【００９２】
図６を参照し、本開示の一部実施例における別の端末の周波数内測定始動方法の別のフローチャートである。当該方法は、端末に応用可能であり、図６に示すように、以下のステップを含む。
【００９３】
ステップ６１において、周波数内測定を始動させるか否かを判断するためのパラメータ情報を基地局から取得する。前記パラメータ情報は、基地局の送信電力情報、端末の受信電力と比較される第１閾値情報および第１閾値情報の補充情報、および端末の受信信号品質と比較される第２閾値情報を含む。
【００９４】
ここで、端末は、前記基地局の実際の送信電力情報および第１閾値情報およびその補充情報を取得する。前記第１閾値情報は、受信電力の比較用の１つの参照閾値を示し、第１閾値情報の補充情報は、当該参照閾値に対応する基地局の参照送信電力を示す。すなわち、当該基地局の送信電力が当該参照送信電力である場合、受信電力の比較用の参照閾値は、第１閾値情報に付帯される数値である。
【００９５】
ここで、前記基地局の送信電力情報は、基地局から送信されるブロードキャスト情報から取得され、基地局の実際の送信電力を示す。
【００９６】
ここで、前記第２閾値情報は、関連技術におけるＳｉｎｔｒａｓｅａｒｃｈＱフィールド、すなわちＲＳＲＱの閾値が用いられる。
【００９７】
ステップ６２において、前記基地局の送信電力情報、前記第１閾値情報および閾値情報の補充情報に基づいて、端末の受信電力と比較するための第４数値を取得し、前記第２閾値情報に基づいて第２数値を得る。
【００９８】
ここで、第１閾値情報およびその補充情報で示す参照送信電力と参照閾値に基づいて、前記基地局の実際の送信電力情報に対応する実際の閾値を特定することによって、前記第４数値を取得する。具体的に、第１閾値情報の補充情報に対する前記基地局の送信電力情報のオフセットを算出し、それから、前記オフセットに基づいて、前記第１閾値情報を調整して第４数値を得る。また、第２閾値情報に付帯される具体値に基づいて、第２数値を得る。
【００９９】
ステップ６３において、端末の受信電力と第４数値を比較し、端末の受信信号品質と第２数値を比較して、周波数内測定を行うかを判断する。
【０１００】
ここで、端末の受信電力が第４数値より大きくかつ端末の受信信号品質が第２数値より大きい場合、端末の周波数内測定を行わなくてもよいと判断するが、端末の受信電力が第４数値以下であり、または端末の受信信号品質が第２数値以下である場合、端末の周波数内測定を行う必要があると判断する。
【０１０１】
本開示の一部実施例において、第１閾値情報及びその補充情報、基地局の送信電力、および端末の受信信号品質と比較される第２閾値情報を例とし、本開示の１つの実現方式を説明した。当該実現方式において、基地局から送信される第１閾値情報及びその補充情報によって、端末は、現在の受信電力に基づいて、第１閾値情報で示す閾値を調整することができ、基地局の実際の送信電力に基づく閾値の動的調整を実現し、移動性パラメータを動的に調整し、端末の移動性プロセスをタイムリーに始動させる。本開示の一部実施例において、第２閾値情報をさらに導入して端末の受信信号品質と比較し、受信電力と第１数値の比較結果、および受信信号品質と第２数値の比較結果に基づいて、周波数内測定を行う必要があるかを特定する。
【０１０２】
図７を参照し、本開示の一部実施例における別の端末の周波数内測定始動方法の別のフローチャートである。当該方法は、端末に応用可能であり、図７に示すように、以下のステップを含む。
【０１０３】
ステップ７１において、周波数内測定を始動させるか否かを判断するためのパラメータ情報を基地局から取得する。前記パラメータ情報は、基地局の送信電力情報、端末の受信電力と比較される第１閾値情報および第１閾値情報の補充情報、および端末の受信の信号対干渉雑音比と比較される第３閾値情報を含む。
【０１０４】
ここで、端末は、前記基地局の実際の送信電力情報および第１閾値情報およびその補充情報を取得する。前記第１閾値情報は、受信電力の比較用の１つの参照閾値を示し、第１閾値情報の補充情報は、当該参照閾値に対応する基地局の参照送信電力を示す。すなわち、当該基地局の送信電力が当該参照送信電力である場合、受信電力の比較用の参照閾値は、第１閾値情報に付帯される数値である。
【０１０５】
ここで、前記基地局の送信電力情報は、基地局から送信されるブロードキャスト情報から取得され、基地局の実際の送信電力を示す。前記第３閾値情報は、ネットワーク側から特定されて配信されるＳＩＮＲの閾値情報である。
【０１０６】
ステップ７２において、前記基地局の送信電力情報、前記第１閾値情報および第１閾値情報の補充情報に基づいて、端末の受信電力と比較するための第４数値を取得し、前記第３閾値情報に基づいて第３数値を得る。
【０１０７】
ここで、第１閾値情報およびその補充情報で示す参照送信電力と参照閾値に基づいて、前記基地局の実際の送信電力情報に対応する実際の閾値を特定することによって、前記第４数値を取得する。具体的に、第１閾値情報の補充情報に対する前記基地局の送信電力情報のオフセットを算出し、それから、前記オフセットに基づいて、前記第１閾値情報を調整して第４数値を得る。また、第３閾値情報に付帯される具体値に基づいて、第３数値を得る。
【０１０８】
ステップ７３において、端末の受信電力と第４数値を比較し、端末の受信の信号対干渉雑音比と第３数値を比較して、周波数内測定を行うかを判断する。
【０１０９】
ここで、端末の受信電力が第４数値より大きくかつ端末の受信の信号対干渉雑音比が第３数値より大きい場合、端末の周波数内測定を行わなくてもよいと判断するが、端末の受信電力が第４数値以下であり、または端末の受信信号品質が第３数値以下である場合、端末の周波数内測定を行う必要があると判断する。
【０１１０】
本開示の一部実施例において、第１閾値情報及びその補充情報、基地局の送信電力、および端末の受信信号品質と比較される第２閾値情報を例とし、本開示の１つの実現方式を説明した。当該実現方式において、基地局から送信される第１閾値情報及びその補充情報によって、端末は、現在の受信電力に基づいて、第１閾値情報で示す閾値を調整することができ、基地局の実際の送信電力に基づく閾値の動的調整を実現し、移動性パラメータを動的に調整し、端末の移動性プロセスをタイムリーに始動させる。本開示の一部実施例において、第３閾値情報をさらに導入して端末の受信の信号対干渉雑音比と比較し、受信電力と第４数値の比較結果、および受信の信号対干渉雑音比と第３数値の比較結果に基づいて、周波数内測定を行う必要があるかを特定する。
【０１１１】
図８に示すように、本開示の一部実施例における端末の周波数内測定始動方法は、基地局側に応用される場合、以下のステップを含む。
【０１１２】
ステップ８１において、基地局は、端末の周波数内測定を始動させるか否かを判断するためのパラメータ情報を特定する。
【０１１３】
ここで、前記パラメータ情報は、基地局の送信電力情報、端末の受信電力と比較される第１閾値情報および第１閾値情報の補充情報、端末の受信信号品質と比較される第２閾値情報、および端末の受信の信号対干渉雑音比と比較される第３閾値情報のうちの１つまたは複数を含み、ここで、第１閾値情報がその補充情報とともに、新規の閾値に対応するフィールドを構成し、または、第１閾値情報は、受信電力の比較用の参照閾値を示し、第１閾値情報の補充情報は、当該参照閾値に対応する基地局の参照送信電力を示す。
【０１１４】
ステップ８２において、基地局は、前記の端末の周波数内測定を始動させるか否かを判断するためのパラメータ情報を端末に送信する。
【０１１５】
本開示の一部実施例における方法に基づき、本開示は、周波数内測定始動装置を抵抗する。当該装置は、端末に設置されることができる。
図９に示すように、当該装置は、周波数内測定を始動させるか否かを判断するためのパラメータ情報を基地局から取得するパラメータ取得ユニット９１と、前記パラメータ情報に基づいて、周波数内測定を行うか否かを判断する測定決定ユニット９２とを含む。
【０１１６】
ここで、前記パラメータ情報は、基地局の送信電力情報、端末の受信電力と比較される第１閾値情報および第１閾値情報の補充情報、端末の受信信号品質と比較される第２閾値情報、および端末の受信の信号対干渉雑音比と比較される第３閾値情報のうちの１つまたは複数を含む。
【０１１７】
１つの実現方式として、前記パラメータ情報は、端末の受信電力と比較される第１閾値情報および第１閾値情報の補充情報であり、前記測定決定ユニットは、第１閾値情報および第１閾値情報の補充情報に基づいて、端末の受信電力と比較するための第１数値を取得する第１取得ユニットと、前記第１数値と端末の受信電力に基づいて、周波数内測定を行うか否かを判断する第１判断ユニットとを含む。
【０１１８】
１つの実現方式として、前記第１判断ユニットは、
端末の受信電力が第１数値より大きい場合、端末の周波数内測定を行わなくてもよいと判断する第１出力ユニットと、
端末の受信電力が第１数値以下である場合、端末の周波数内測定を行う必要があると判断する第２出力ユニットとを含む。
【０１１９】
１つの実現方式として、前記パラメータ情報は、端末の受信電力と比較される第１閾値情報および第１閾値情報の補充情報、および端末の受信信号品質と比較される第２閾値情報を含み、
前記測定決定ユニットは、
前記第１閾値情報および第１閾値情報の補充情報に基づいて、端末の受信電力と比較するための第１数値を取得し、前記第２閾値情報に基づいて第２数値を得る第２取得ユニットと、
端末の受信電力と第１数値を比較し、端末の受信信号品質と第２数値を比較し、端末の受信電力が第１数値より大きくかつ端末の受信信号品質が第２数値より大きい場合、端末の周波数内測定を行わなくてもよいと判断し、端末の受信電力が第１数値以下であり、または端末の受信信号品質が第２数値以下である場合、端末の周波数内測定を行う必要があると判断する第２判断ユニットとを含む。
【０１２０】
１つの実現方式として、前記パラメータ情報は、端末の受信電力と比較される第１閾値情報および第１閾値情報の補充情報、および端末の受信の信号対干渉雑音比と比較される第３閾値情報を含み、
前記測定決定ユニットは、
前記第１閾値情報および第１閾値情報の補充情報に基づいて、端末の受信電力と比較するための第１数値を取得し、前記第２閾値情報に基づいて第２数値を得、前記第３閾値情報に基づいて第３数値を得る第３取得ユニットと、
端末の受信電力と第１数値を比較し、端末の受信の信号対干渉雑音比と第３数値を比較し、端末の受信電力が第１数値より大きくかつ端末の受信の信号対干渉雑音比が第３数値より大きい場合、端末の周波数内測定を行わなくてもよいと判断し、端末の受信電力が第１数値以下であり、または端末の受信の信号対干渉雑音比が第３数値以下である場合、端末の周波数内測定を行う必要があると判断する第３判断ユニットとを含む。
【０１２１】
１つの実現方式として、前記パラメータ情報は、基地局の送信電力情報、および端末の受信電力と比較される第１閾値情報および第１閾値情報の補充情報を含み、
前記測定決定ユニットは、
前記基地局の送信電力情報、前記第１閾値情報および第１閾値情報の補充情報に基づいて、端末の受信電力と比較するための第４数値を取得する第４取得ユニットと、
端末の受信電力と第４数値を比較し、端末の受信電力が第４数値より大きい場合、端末の周波数内測定を行わなくてもよいと判断し、端末の受信電力が第４数値以下である場合、端末の周波数内測定を行う必要があると判断する第４判断ユニットとを含む。
【０１２２】
１つの実現方式として、前記パラメータ情報は、基地局の送信電力情報、端末の受信電力と比較される第１閾値情報および第１閾値情報の補充情報、および端末の受信信号品質と比較される第２閾値情報を含み、
前記測定決定ユニットは、
前記基地局の送信電力情報、前記第１閾値情報および閾値情報の補充情報に基づいて、端末の受信電力と比較するための第４数値を取得し、前記第２閾値情報に基づいて第２数値を得る第５取得ユニットと、
端末の受信電力と第４数値を比較し、端末の受信信号品質と第２数値を比較し、端末の受信電力が第４数値より大きくかつ端末の受信信号品質が第２数値より大きい場合、端末の周波数内測定を行わなくてもよいと判断し、端末の受信電力が第４数値以下であり、または端末の受信信号品質が第２数値以下である場合、端末の周波数内測定を行う必要があると判断する第５判断ユニットとを含む。
【０１２３】
１つの実現方式として、前記パラメータ情報は、基地局の送信電力情報、端末の受信電力と比較される第１閾値情報および第１閾値情報の補充情報、および端末の受信の信号対干渉雑音比と比較される第３閾値情報を含み、
前記測定決定ユニットは、
前記基地局の送信電力情報、前記第１閾値情報および第１閾値情報の補充情報に基づいて、端末の受信電力と比較するための第４数値を取得し、前記第３閾値情報に基づいて第３数値を得る第６取得ユニットと、
端末の受信電力と第４数値を比較し、端末の受信の信号対干渉雑音比と第３数値を比較し、端末の受信電力が第４数値より大きくかつ端末の受信の信号対干渉雑音比が第３数値より大きい場合、端末の周波数内測定を行わなくてもよいと判断し、端末の受信電力が第４数値以下であり、または端末の受信の信号対干渉雑音比が第３数値以下である場合、端末の周波数内測定を行う必要があると判断する第６判断ユニットとを含む。
【０１２４】
本開示の一部実施例における方法に基づき、本開示は、周波数内測定始動装置装置を提供する。当該装置は、基地局に設定されることができる。
図１０に示すように、当該装置は、
端末の周波数内測定を始動させるか否かを判断するためのパラメータ情報を特定する特定ユニット１０１と、
前記の端末の周波数内測定を始動させるか否かを判断するためのパラメータ情報を端末に送信する送信ユニット１０２とを含む。
【０１２５】
ここで、前記パラメータ情報は、
基地局の送信電力情報、端末の受信電力と比較される第１閾値情報および第１閾値情報の補充情報、端末の受信信号品質と比較される第２閾値情報、および端末の受信の信号対干渉雑音比と比較される第３閾値情報のうちの１つまたは複数を含み、
ここで、第１閾値情報がその補充情報とともに、新規の閾値に対応するフィールドを構成し、または、第１閾値情報は、受信電力の比較用の参照閾値を示し、第１閾値情報の補充情報は、当該参照閾値に対応する基地局の参照送信電力を示す。
【０１２６】
図１１を参照し、図１１は、本開示の一部実施例における電子機器の構造図である。図１１に示すように、当該電子機器は、少なくとも１つのプロセッサ１１０１と、メモリ１１０２と、少なくとも１つのネットワークインタフェース１１０４と、ユーザインタフェース１１０３を含む。電子機器における各構成部品は、バスシステム１１０５を介して結合される。バスシステム１１０５は、これらの構成部品の間の接続と通信に用いられることが理解できる。バスシステム１１０５は、データバスのほかに、電源バス、制御バスおよび状態信号バスをさらに含む。ただし、明確に説明するために、図１１において、各種類のバスをすべてバスシステム１１０５として標記している。
【０１２７】
ここで、ユーザインタフェース１１０３は、ディスプレイ、キーボードまたはポインティングデバイス（たとえばマウス、トラックボール（ｔｒａｃｋ  ｂａｌｌ））、タッチパネルまたはタッチスクリーンなどを含む。
【０１２８】
本開示の一部実施例におけるメモリ１１０２は、揮発性メモリまたは非揮発性メモリであり、または、揮発性メモリと非揮発性メモリの両方を含む。非揮発性メモリは、ＲＯＭ（Ｒｅａｄ−Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  Ｐ  ＲＯＭ）、ＥＥＰＲＯＭ（Ｅｌｅｃｔｒｉｃａｌｌｙ  ＥＰ  ＲＯＭ）またはフラッシュメモリである。揮発性メモリは、ＲＡＭ（Ｒａｎｄｏｍ  Ａｃｃｅｓｓ  Ｍｅｍｏｒｙ）であり、外部のキャッシュに用いられる。多くの形態のＲＡＭが使用可能であるが、その例として、例えばＳＲＡＭ（Ｓｔａｔｉｃ  ＲＡＭ）、ＤＲＡＭ（Ｄｙｎａｍｉｃ  ＲＡＭ）、ＳＤＲＡＭ（Ｓｙｎｃｈｒｏｎｏｕｓ  Ｄ  ＲＡＭ）、ＤＤＲＳＤＲＡＭ（Ｄｏｕｂｌｅ  Ｄａｔａ  Ｒａｔｅ  ＳＤ  ＲＡＭ）、ＥＳＤＲＡＭ（Ｅｎｈａｎｃｅｄ  ＳＤ  ＲＡＭ）、ＳＬＤＲＡＭ（Ｓｙｎｃｈ  ｌｉｎｋ  Ｄ  ＲＡＭ）、ＤＲＲＡＭ（Ｄｉｒｅｃｔ  Ｒａｍｂｕｓ  ＲＡＭ）が挙げられるが、それらに限られない。本明細書に記載のシステム及び方法におけるメモリ１１０２は、これらおよびそれら以外の任意の適合する種類のメモリを含むとするが、それらに限られない。
【０１２９】
一部実施例において、メモリ１１０２には、実行可能なモジュールまたはデータ構造、またはそれらのサブセット、または、それらの拡張セットであるオペレーションシステム１１０２１とアプリケーションプログラム１１０２２が記憶されている。
【０１３０】
ここで、オペレーションシステム１１０２１は、フレーム層、コアライブラリ層、駆動層など各種類のシステムプログラムを含み、各種類のベーシックサービスの実現およびハードウェアに基づくタスクの処理に用いられる。アプリケーションプログラム１１０２２は、メディアプレイヤー（Ｍｅｄｉａ  Ｐｌａｙｅｒ）、ブラウザ（Ｂｒｏｗｓｅｒ）など各種類のアプリケーションプログラムを含み、各種類のアプリケーションサービスの実現に用いられる。本開示の一部実施例における方法を実現するプログラムは、アプリケーションプログラム１１０２２に含まれる。
【０１３１】
本開示の一部実施例において、メモリ１１０２に記憶されているプログラムまたは指令を呼び出し、具体的に、アプリケーションプログラム１１０２２に記憶されているプログラムまたは指令を呼び出すことによって、プロセッサ１１０１は、周波数内測定を始動させるか否かを判断するためのパラメータ情報を基地局から取得し、前記パラメータ情報に基づいて、周波数内測定を行うか否かを判断する。
【０１３２】
選択可能に、前記パラメータ情報は、端末の受信電力と比較される第１閾値情報および第１閾値情報の補充情報であり、プロセッサ１１０１は、さらに、第１閾値情報および第１閾値情報の補充情報に基づいて、端末の受信電力と比較するための第１数値を取得し、前記第１数値と端末の受信電力に基づいて、周波数内測定を行うか否かを判断する。
【０１３３】
選択可能に、プロセッサ１１０１は、さらに、端末の受信電力が第１数値より大きい場合、端末の周波数内測定を行わなくてもよいと判断するが、端末の受信電力が第１数値以下である場合、端末の周波数内測定を行う必要があると判断する。
【０１３４】
選択可能に、前記パラメータ情報は、端末の受信電力と比較される第１閾値情報および第１閾値情報の補充情報、および端末の受信信号品質と比較される第２閾値情報を含み、プロセッサ１１０１は、さらに、前記第１閾値情報および第１閾値情報の補充情報に基づいて、端末の受信電力と比較するための第１数値を取得し、前記第２閾値情報に基づいて第２数値を取得し、端末の受信電力と第１数値を比較し、端末の受信信号品質と第２数値を比較し、端末の受信電力が第１数値より大きくかつ端末の受信信号品質が第２数値より大きい場合、端末の周波数内測定を行わなくてもよいと判断し、端末の受信電力が第１数値以下であり、または端末の受信信号品質が第２数値以下である場合、端末の周波数内測定を行う必要があると判断する。
【０１３５】
選択可能に、前記パラメータ情報は、端末の受信電力と比較される第１閾値情報および第１閾値情報の補充情報、および端末の受信の信号対干渉雑音比と比較される第３閾値情報を含み、プロセッサ１１０１は、さらに、前記第１閾値情報および第１閾値情報の補充情報に基づいて、端末の受信電力と比較するための第１数値を取得し、前記第２閾値情報に基づいて第２数値を取得し、前記第３閾値情報に基づいて第３数値を取得し、端末の受信電力と第１数値を比較し、端末の受信の信号対干渉雑音比と第３数値を比較し、端末の受信電力が第１数値より大きくかつ端末の受信の信号対干渉雑音比が第３数値より大きい場合、端末の周波数内測定を行わなくてもよいと判断し、端末の受信電力が第１数値以下であり、または端末の受信の信号対干渉雑音比が第３数値以下である場合、端末の周波数内測定を行う必要があると判断する。
【０１３６】
選択可能に、前記パラメータ情報は、基地局の送信電力情報、および端末の受信電力と比較される第１閾値情報および第１閾値情報の補充情報を含み、プロセッサ１１０１は、さらに、前記基地局の送信電力情報、前記第１閾値情報および第１閾値情報の補充情報に基づいて、端末の受信電力と比較するための第４数値を取得し、端末の受信電力と第４数値を比較し、端末の受信電力が第４数値より大きい場合、端末の周波数内測定を行わなくてもよいと判断し、端末の受信電力が第４数値以下である場合、端末の周波数内測定を行う必要があると判断する。
【０１３７】
選択可能に、前記パラメータ情報は、基地局の送信電力情報、端末の受信電力と比較される第１閾値情報および第１閾値情報の補充情報、および端末の受信信号品質と比較される第２閾値情報を含み、
プロセッサ１１０１は、さらに、前記基地局の送信電力情報、前記第１閾値情報および閾値情報の補充情報に基づいて、端末の受信電力と比較するための第４数値を取得し、前記第２閾値情報に基づいて第２数値を取得し、端末の受信電力と第４数値を比較し、端末の受信信号品質と第２数値を比較し、端末の受信電力が第４数値より大きくかつ端末の受信信号品質が第２数値より大きい場合、端末の周波数内測定を行わなくてもよいと判断し、端末の受信電力が第４数値以下であり、または端末の受信信号品質が第２数値以下である場合、端末の周波数内測定を行う必要があると判断する。
【０１３８】
本開示の実施例において、コンピュータプログラムが記憶されているコンピュータ読み取り可能な記憶媒体をさらに提供する。前記コンピュータプログラムがプロセッサによって実行されると、前記いずれか１つの方法実施例における方法のステップが実現される。
【０１３９】
本明細書に開示された実施例に記載の各例のユニットおよびアルゴリズムのステップが、電子ハードウェア、またはコンピュータソフトウェアと電子ハードウェアの組み合わせによって実現可能であることは、当業者が理解できる。これらの機能がいったいハードウェアによって実行されるか、それともソフトウェアによって実行されるかは、技術手段の特定な応用や設計の制限条件によって決められる。当業者は、各特定な応用に対し、異なる方法によって記載の機能を実現することができるが、これらの実現は、本開示の範囲を超えたものとされるべきではない。
【０１４０】
記載の便利や簡潔化のために、以上記載したシステム、装置及びユニットの具体的な動作プロセスは、前記方法実施例における対応プロセスを参照されたく、ここでは繰り返して記載しない。これは、当業者にとって自明である。
【０１４１】
本願で提供されるいくつかの実施例において、開示された装置および方法は、他の方式で実施され得ることを理解されたい。以上記載した装置実施例は、単に例示的なものである。例えば、記載したユニットの区分は、単に論理機能の区分であり、実際に実現する際に別の区分方式がある。例えば、複数のユニットまたはコンポーネントは、組み合わせてもよく、別のシステムに一体化されてもよく、または、一部の特徴は、無視されてもよく、または実行されなくてもよい。また、示されておりまたは議論されている各構成部分の相互間の結合や直接結合や通信接続は、インタフェース、装置またはユニットを介した間接結合や通信接続であってもよく、電気的、機械的、または他の形式であってもよい。
【０１４２】
以上個別部品として説明したユニットは、物理的に離間したものであってもよく、そうでなくてもよい。ユニットとして示した部品は、物理ユニットであってもよく、そうでなくてもよい。すなわち、一箇所に位置してもよく、複数のネットワークユニットに位置してもよい。実際の必要に応じてそのうちの一部またはすべてのユニットを選択して本開示の実施例の目的を実現する。
【０１４３】
また、本開示の各実施例における各機能的ユニットは、１つの処理ユニットに一体化されていてもよいし、物理的に別々に設けられていてもよいし、２つ以上が一体化されてもよい。
【０１４４】
前記一体化ユニットは、ソフトウェア機能モジュールの形式で実現され独立した製品として販売または使用される場合、コンピュータ読み取り可能な記憶媒体に格納されてもよい。このような理解に基づき、本開示の技術手段の実質的または従来技術に貢献した部分、または当該技術手段の部分は、ソフトウェアプロダクトの形式で現れる。当該コンピュータソフトウェアプロダクトは、記憶媒体に記憶され、本開示の各実施例に記載の方法のすべてまたは一部のステップをコンピュータ装置（パーソナルコンピュータ、サーバ、又はネットワーク装置であってもよい）に実行させるいくつかの指令を含む。前記記憶媒体は、Ｕディスク、モバイルハードディスク、ＲＯＭ、ＲＡＭ、磁気ディスクまたは光ディスクなど、プログラムコードを格納することができる様々な媒体を含む。
【０１４５】
以上の記載は、本開示の具体的な実施形態であるが、本開示の保護範囲は、これらに限定されない。当業者が本開示によって開示されている技術範囲内で容易に想到できる変化や置換は、すべて本開示の保護範囲内に含まれる。よって、本開示の保護範囲は、特許請求の範囲の保護範囲を基準とするべきである。
【図１】
2020517180.tif 000006
【図２】
2020517180.tif 000007
【図３】
2020517180.tif 000008
【図４】
2020517180.tif 000009
【図５】
2020517180.tif 000010
【図６】
2020517180.tif 000011
【図７】
2020517180.tif 000012
【図８】
2020517180.tif 000013
【図９】
2020517180.tif 000014
【図１０】
2020517180.tif 000015
【図１１】
2020517180.tif 000016
【手続補正書】
【提出日】令和1年12月4日(2019.12.4)
【手続補正１】
【補正対象書類名】特許請求の範囲
【補正対象項目名】全文
【補正方法】変更
【補正の内容】
【特許請求の範囲】
【請求項１】
周波数内測定を始動させるか否かを判断するための拡張済みのパラメータ情報を基地局から取得するステップと、
前記パラメータ情報に基づいて、周波数内測定を行うか否かを判断するステップと、
を含む端末の周波数内測定始動方法。
【請求項２】
前記パラメータ情報は、
基地局の送信電力情報、
Ｓｒｘｌｅｖである端末の受信電力と比較される第１情報であって、第１閾値情報を拡張させた第１情報、
端末の受信信号品質と比較される第２閾値情報、および
端末の受信の信号対干渉雑音比と比較される第３閾値情報のうちの１つまたは複数を含む請求項１に記載の方法。
【請求項３】
前記の前記パラメータ情報に基づいて、周波数内測定を行うか否かを判断するステップは、
第１閾値情報および第１閾値情報の拡張情報から、端末の受信電力と比較するための拡張済みの第１数値を取得するステップと、
前記第１数値と端末の受信電力に基づいて、周波数内測定を行うか否かを判断するステップとを含む請求項１に記載の方法。
【請求項４】
前記の前記第１数値と端末の受信電力に基づいて、周波数内測定を行うか否かを判断するステップは、
端末の受信電力が第１数値より大きい場合、端末の周波数内測定を行わなくてもよいと判断するステップと、
端末の受信電力が第１数値以下である場合、端末の周波数内測定を行う必要があると判断するステップとを含む請求項３に記載の方法。
【請求項５】
前記パラメータ情報は、端末の受信電力と比較される第１情報、および端末の受信信号品質と比較される第２閾値情報を含み、
前記の前記パラメータ情報に基づいて、周波数内測定を行うか否かを判断するステップは、
前記第１閾値情報および第１閾値情報の拡張情報に基づいて、端末の受信電力と比較するための拡張済みの第１数値を取得し、前記第２閾値情報に基づいて第２数値を得るステップと、
端末の受信電力と第１数値を比較し、端末の受信信号品質と第２数値を比較するステップと、
端末の受信電力が第１数値より大きくかつ端末の受信信号品質が第２数値より大きい場合、端末の周波数内測定を行わなくてもよいと判断するステップと、
端末の受信電力が第１数値以下であり、または端末の受信信号品質が第２数値以下である場合、端末の周波数内測定を行う必要があると判断するステップとを含む請求項２に記載の方法。
【請求項６】
前記パラメータ情報は、端末の受信電力と比較される第１情報、および端末の受信の信号対干渉雑音比と比較される第３閾値情報を含み、
前記の前記パラメータ情報に基づいて、周波数内測定を行うか否かを判断するステップは、
前記第１閾値情報および第１閾値情報の拡張情報に基づいて、端末の受信電力と比較するための拡張済みの第１数値を取得し、前記第３閾値情報に基づいて第３数値を得るステップと、
端末の受信電力と第１数値を比較し、端末の受信の信号対干渉雑音比と第３数値を比較するステップと、
端末の受信電力が第１数値より大きくかつ端末の受信の信号対干渉雑音比が第３数値より大きい場合、端末の周波数内測定を行わなくてもよいと判断するステップと、
端末の受信電力が第１数値以下であり、または端末の受信の信号対干渉雑音比が第３数値以下である場合、端末の周波数内測定を行う必要があると判断するステップとを含む請求項２に記載の方法。
【請求項７】
前記パラメータ情報は、基地局の送信電力情報、および端末の受信電力と比較される第１閾値情報および第１閾値情報の拡張情報を含み、
前記の前記パラメータ情報に基づいて、周波数内測定を行うか否かを判断するステップは、
前記基地局の送信電力情報、前記第１閾値情報および第１閾値情報の拡張情報に基づいて、端末の受信電力と比較するための拡張済みの第４数値を取得するステップと、
端末の受信電力と第４数値を比較するステップと、
端末の受信電力が第４数値より大きい場合、端末の周波数内測定を行わなくてもよいと判断するステップと、
端末の受信電力が第４数値以下である場合、端末の周波数内測定を行う必要があると判断するステップとを含み、
または
前記パラメータ情報は、基地局の送信電力情報、端末の受信電力と比較される第１閾値情報および第１閾値情報の拡張情報、および端末の受信信号品質と比較される第２閾値情報を含み、
前記の前記パラメータ情報に基づいて、周波数内測定を行うか否かを判断するステップは、
前記基地局の送信電力情報、前記第１閾値情報および閾値情報の拡張情報に基づいて、端末の受信電力と比較するための拡張済みの第４数値を取得し、前記第２閾値情報に基づいて第２数値を得るステップと、
端末の受信電力と第４数値を比較し、端末の受信信号品質と第２数値を比較するステップと、
端末の受信電力が第４数値より大きくかつ端末の受信信号品質が第２数値より大きい場合、端末の周波数内測定を行わなくてもよいと判断するステップと、
端末の受信電力が第４数値以下であり、または端末の受信信号品質が第２数値以下である場合、端末の周波数内測定を行う必要があると判断するステップとを含み、
または
前記パラメータ情報は、基地局の送信電力情報、端末の受信電力と比較される第１閾値情報および第１閾値情報の拡張情報、および端末の受信の信号対干渉雑音比と比較される第３閾値情報を含み、
前記の前記パラメータ情報に基づいて、周波数内測定を行うか否かを判断するステップは、
前記基地局の送信電力情報、前記第１閾値情報および第１閾値情報の拡張情報に基づいて、端末の受信電力と比較するための拡張済みの第４数値を取得し、前記第３閾値情報に基づいて第３数値を得るステップと、
端末の受信電力と第４数値を比較し、端末の受信の信号対干渉雑音比と第３数値を比較するステップと、
端末の受信電力が第４数値より大きくかつ端末の受信の信号対干渉雑音比が第３数値より大きい場合、端末の周波数内測定を行わなくてもよいと判断するステップと、
端末の受信電力が第４数値以下であり、または端末の受信の信号対干渉雑音比が第３数値以下である場合、端末の周波数内測定を行う必要があると判断するステップとを含む請求項２に記載の方法。
【請求項８】
周波数内測定を始動させるか否かを判断するための拡張済みのパラメータ情報を基地局から取得するパラメータ取得ユニットと、
前記パラメータ情報に基づいて、周波数内測定を行うか否かを判断する測定決定ユニットとを含む周波数内測定始動装置。
【請求項９】
前記パラメータ情報は、
基地局の送信電力情報、
Ｓｒｘｌｅｖである端末の受信電力と比較される第１情報であって、第１閾値情報の値の範囲を拡張させた第１情報、
端末の受信信号品質と比較される第２閾値情報、および
端末の受信の信号対干渉雑音比と比較される第３閾値情報のうちの１つまたは複数を含む請求項８に記載の周波数内測定始動装置。
【請求項１０】
前記測定決定ユニットは、
第１閾値情報および第１閾値情報の拡張情報に基づいて、端末の受信電力と比較するための拡張済みの第１数値を取得する第１取得ユニットと、
前記第１数値と端末の受信電力に基づいて、周波数内測定を行うか否かを判断する第１判断ユニットとを含む請求項９に記載の周波数内測定始動装置。
【請求項１１】
前記第１判断ユニットは、
端末の受信電力が第１数値より大きい場合、端末の周波数内測定を行わなくてもよいと判断する第１出力ユニットと、
端末の受信電力が第１数値以下である場合、端末の周波数内測定を行う必要があると判断する第２出力ユニットとを含む請求項１０に記載の周波数内測定始動装置。
【請求項１２】
前記パラメータ情報は、端末の受信電力と比較される第１閾値情報、および端末の受信信号品質と比較される第２閾値情報を含み、
前記測定決定ユニットは、
前記第１閾値情報および第１閾値情報の拡張情報から、端末の受信電力と比較するための拡張済みの第１数値を取得し、前記第２閾値情報に基づいて第２数値を得る第２取得ユニットと、
端末の受信電力と第１数値を比較し、端末の受信信号品質と第２数値を比較し、端末の受信電力が第１数値より大きくかつ端末の受信信号品質が第２数値より大きい場合、端末の周波数内測定を行わなくてもよいと判断し、端末の受信電力が第１数値以下であり、または端末の受信信号品質が第２数値以下である場合、端末の周波数内測定を行う必要があると判断する第２判断ユニットとを含む請求項９に記載の周波数内測定始動装置。
【請求項１３】
前記パラメータ情報は、端末の受信電力と比較される第１情報、および端末の受信の信号対干渉雑音比と比較される第３閾値情報を含み、
前記測定決定ユニットは、
前記第１閾値情報および第１閾値情報の拡張情報に基づいて、端末の受信電力と比較するための第１数値を取得し、前記第２閾値情報に基づいて第２数値を得、前記第３閾値情報に基づいて第３数値を得る第３取得ユニットと、
端末の受信電力と第１数値を比較し、端末の受信の信号対干渉雑音比と第３数値を比較し、端末の受信電力が第１数値より大きくかつ端末の受信の信号対干渉雑音比が第３数値より大きい場合、端末の周波数内測定を行わなくてもよいと判断し、端末の受信電力が第１数値以下であり、または端末の受信の信号対干渉雑音比が第３数値以下である場合、端末の周波数内測定を行う必要があると判断する第３判断ユニットとを含み、
または
前記パラメータ情報は、基地局の送信電力情報、および端末の受信電力と比較される第１閾値情報および第１閾値情報の補充情報を含み、
前記測定決定ユニットは、
前記基地局の送信電力情報、前記第１閾値情報および第１閾値情報の補充情報に基づいて、端末の受信電力と比較するための第４数値を取得する第４取得ユニットと、
端末の受信電力と第４数値を比較し、端末の受信電力が第４数値より大きい場合、端末の周波数内測定を行わなくてもよいと判断し、端末の受信電力が第４数値以下である場合、端末の周波数内測定を行う必要があると判断する第４判断ユニットとを含み、
または
前記パラメータ情報は、基地局の送信電力情報、端末の受信電力と比較される第１情報、および端末の受信信号品質と比較される第２閾値情報を含み、
前記測定決定ユニットは、
前記基地局の送信電力情報、前記第１閾値情報および閾値情報の拡張情報に基づいて、端末の受信電力と比較するための第４数値を取得し、前記第２閾値情報に基づいて第２数値を得る第５取得ユニットと、
端末の受信電力と第４数値を比較し、端末の受信信号品質と第２数値を比較し、端末の受信電力が第４数値より大きくかつ端末の受信信号品質が第２数値より大きい場合、端末の周波数内測定を行わなくてもよいと判断し、端末の受信電力が第４数値以下であり、または端末の受信信号品質が第２数値以下である場合、端末の周波数内測定を行う必要があると判断する第５判断ユニットとを含み、
または
前記パラメータ情報は、基地局の送信電力情報、端末の受信電力と比較される第１閾値情報および第１閾値情報の補充情報、および端末の受信の信号対干渉雑音比と比較される第３閾値情報を含み、
前記測定決定ユニットは、
前記基地局の送信電力情報、前記第１閾値情報および第１閾値情報の補充情報に基づいて、端末の受信電力と比較するための第４数値を取得し、前記第３閾値情報に基づいて第３数値を得る第６取得ユニットと、
端末の受信電力と第４数値を比較し、端末の受信の信号対干渉雑音比と第３数値を比較し、端末の受信電力が第４数値より大きくかつ端末の受信の信号対干渉雑音比が第３数値より大きい場合、端末の周波数内測定を行わなくてもよいと判断し、端末の受信電力が第４数値以下であり、または端末の受信の信号対干渉雑音比が第３数値以下である場合、端末の周波数内測定を行う必要があると判断する第６判断ユニットとを含む請求項９に記載の周波数内測定始動装置。
【請求項１４】
基地局が、端末の周波数内測定を始動させるか否かを判断するための拡張済みのパラメータ情報を特定するステップと、
基地局が、前記の端末の周波数内測定を始動させるか否かを判断するためのパラメータ情報を端末に送信するステップとを含む端末の周波数内測定始動方法。
【請求項１５】
端末の周波数内測定を始動させるか否かを判断するための拡張済みのパラメータ情報を特定する特定ユニットと、
前記の端末の周波数内測定を始動させるか否かを判断するためのパラメータ情報を端末に送信する送信ユニットとを含む周波数内測定始動装置。
【手続補正２】
【補正対象書類名】明細書
【補正対象項目名】全文
【補正方法】変更
【補正の内容】
【発明の詳細な説明】
【技術分野】
【０００１】
本願は、２０１７年４月１４日に中国特許庁に提出された中国特許出願２０１７１０２４４５１４．５の優先権を主張し、その全ての内容が援用によりここに取り込まれる。
【０００２】
本開示は、移動通信技術分野に係り、特に端末の周波数内測定始動方法、装置、端末及び基地局に係る。
【背景技術】
【０００３】
関連技術のセル再選択フローにおいて、端末は、現在セルのＳｒｘｌｅｖ（ＲＳＲＰ）が再選択閾値より低く、または、Ｓｑｕａｌ（ＲＳＲＱ）が再選択閾値Ｑより低いことを検出すると、周波数内測定（ｉｎｔｒａ−ｆｒｅｑｕｅｎｃｙ  ｍｅａｓｕｒｅｍｅｎｔ）を始動させてセルを再選択しようとする。ここで、Ｓｒｘｌｅｖ（Ｃｅｌｌ  ｓｅｌｅｃｔｉｏｎ  ＲＸ  ｌｅｖｅｌ  ｖａｌｕｅ）は、セル選択の受信電力値を示し、Ｓｑｕａｌは、セル選択の受信信号品質値を示す。例えば、関連技術における１つのＳルールは、以下である。
Ｓｒｘｌｅｖ＝Ｑｒｘｌｅｖｍｅａｓ-Ｑｒｘｌｅｖｍｉｎ
Ｓｑｕａｌ＝Ｑｑｕａｌｍｅａｓ-Ｑｑｕａｌｍｉｎ
【０００４】
上記式において、Ｑｒｘｌｅｖｍｅａｓは、端末が測定して得た受信電力値を示し、当該値が、測定して得たＲＳＲＰ（ｄＢｍ）である。Ｑｒｘｌｅｖｍｉｎは、当該セルに求められる最小受信電力値を示し、当該値が、通常、システム情報ブロック１（ＳＩＢ１）のｑ−ＲｘＬｅｖＭｉｎで指示される（ｄＢｍ）。Ｑｑｕａｌｍｅａｓは、測定して得たセルのＥＣ／ＮＯ値を示す。Ｑｑｕａｌｍｉｎは、セルに求められるＥＣ／ＮＯ値を示し、通常ＳＩＢ３から読み取られる。ＥＣ／ＮＯは、信号対干渉雑音比の値を示す。
【０００５】
３ＧＰＰ  ＴＳ３６．３０４に基づき、ＬＴＥ端末の場合、Ｓｒｘｌｅｖ＞ＳＩｎｔｒａＳｅａｒｃｈＰとＳｑｕａｌ＞ＳＩｎｔｒａＳｅａｒｃｈＱを満たすのであれば、再選択の測定を行う必要がない。セルラーに基づくＮＢ−ＩｏＴ（Ｎａｒｒｏｗ  Ｂａｎｄ  Ｉｎｔｅｒｎｅｔ  ｏｆ  Ｔｈｉｎｇｓ）端末の場合、Ｓｒｘｌｅｖ＞ＳＩｎｔｒａＳｅａｒｃｈＰを満たすのであれば、再選択の測定を行う必要がない。
【０００６】
上記ルールは、再選択の測定始動判定と称してもよい。
【０００７】
ここで、再選択閾値ＳＩｎｔｒａＳｅａｒｃｈＰとＳＩｎｔｒａＳｅａｒｃｈＱは、それぞれ、基地局からブロードキャストメッセージ（ＳＩＢ３）によって周波数内セル検索の閾値「ｓ−ＩｎｔｒａＳｅａｒｃｈＰ−ｒ９」＝「ＲｅｓｅｌｅｃｔｉｏｎＴｈｒｅｓｈｏｌｄ」の値が（０〜３１の整数）ｘ２［ｄＢ］であり、「ｓ−ＩｎｔｒａＳｅａｒｃｈＱ−ｒ９」＝「ＲｅｓｅｌｅｃｔｉｏｎＴｈｒｅｓｈｏｌｄＱ−ｒ９」の値が（０〜３１の整数）［ｄＢ］であることをブロードキャストする。
【０００８】
具体的に、
2020517180.tif 000017
2020517180.tif 000018
【０００９】
以上の再選択閾値ＳＩｎｔｒａＳｅａｒｃｈＰとＳＩｎｔｒａＳｅａｒｃｈＱの値の範囲は、それぞれ０〜６２ｄＢと０〜３１ｄＢであり、再選択閾値ＳｉｎｔｒａｓｅａｒｃｈＰの値の範囲が相対的に小さいことが分かる。実際の応用において、基地局同士の距離が近すぎたり、一部の基地局の電力が比較的大きかったりして、電力が再選択始動のレンジを超えてしまうことが生じやすい。この場合、たとえ端末がある隣接セルの基地局の近くまで移動したとしても、周波数内測定が始動されず、隣接セルへの再選択ができない。
【発明の概要】
【発明が解決しようとする課題】
【００１０】
本開示の実施例は、基地局から送信され、周波数内測定を始動させるか否かを判断するためのパラメータ情報を、より大きい数値範囲を示すことができるように拡張させることによって、端末による周波数内測定をタイムリーに始動させる、端末の周波数内測定始動方法、装置、端末及び基地局を提供する。
【課題を解決するための手段】
【００１１】
上記の技術課題を解決するために、本開示の実施例における端末の周波数内測定始動方法において、
周波数内測定を始動させるか否かを判断するための拡張済みのパラメータ情報を基地局から取得するステップと、
前記パラメータ情報に基づいて、周波数内測定を行うか否かを判断するステップと、
を含む。
【００１２】
選択可能に、前記方法において、前記パラメータ情報は、
基地局の送信電力情報、
Ｓｒｘｌｅｖである端末の受信電力と比較される第１情報であって、第１閾値情報の値の範囲を拡張させた第１情報、
端末の受信信号品質と比較される第２閾値情報、および
端末の受信の信号対干渉雑音比と比較される第３閾値情報のうちの１つまたは複数を含む。
【００１３】
選択可能に、前記方法において、前記パラメータ情報は、端末の受信電力と比較される第１閾値情報および第１閾値情報の補充情報であり、
前記の前記パラメータ情報に基づいて、周波数内測定を行うか否かを判断するステップは、
第１閾値情報および第１閾値情報の拡張情報から、端末の受信電力と比較するための拡張済みの第１数値を取得するステップと、
前記第１数値と端末の受信電力に基づいて、周波数内測定を行うか否かを判断するステップとを含む。
【００１４】
選択可能に、前記方法において、前記の前記第１数値と端末の受信電力に基づいて、周波数内測定を行うか否かを判断するステップは、
端末の受信電力が第１数値より大きい場合、端末の周波数内測定を行わなくてもよいと判断するステップと、
端末の受信電力が第１数値以下である場合、端末の周波数内測定を行う必要があると判断するステップとを含む。
【００１５】
選択可能に、前記方法において、前記パラメータ情報は、端末の受信電力と比較される第１情報、および端末の受信信号品質と比較される第２閾値情報を含み、
前記の前記パラメータ情報に基づいて、周波数内測定を行うか否かを判断するステップは、
前記第１閾値情報および第１閾値情報の拡張情報に基づいて、端末の受信電力と比較するための拡張済みの第１数値を取得し、前記第２閾値情報に基づいて第２数値を得るステップと、
端末の受信電力と第１数値を比較し、端末の受信信号品質と第２数値を比較するステップと、
端末の受信電力が第１数値より大きくかつ端末の受信信号品質が第２数値より大きい場合、端末の周波数内測定を行わなくてもよいと判断するステップと、
端末の受信電力が第１数値以下であり、または端末の受信信号品質が第２数値以下である場合、端末の周波数内測定を行う必要があると判断するステップとを含む。
【００１６】
選択可能に、前記方法において、前記パラメータ情報は、端末の受信電力と比較される第１情報、および端末の受信の信号対干渉雑音比と比較される第３閾値情報を含み、
前記の前記パラメータ情報に基づいて、周波数内測定を行うか否かを判断するステップは、
前記第１閾値情報および第１閾値情報の拡張情報に基づいて、端末の受信電力と比較するための拡張済みの第１数値を取得し、前記第３閾値情報に基づいて第３数値を得るステップと、
端末の受信電力と第１数値を比較し、端末の受信の信号対干渉雑音比と第３数値を比較するステップと、
端末の受信電力が第１数値より大きくかつ端末の受信の信号対干渉雑音比が第３数値より大きい場合、端末の周波数内測定を行わなくてもよいと判断するステップと、
端末の受信電力が第１数値以下であり、または端末の受信の信号対干渉雑音比が第３数値以下である場合、端末の周波数内測定を行う必要があると判断するステップとを含む。
【００１７】
選択可能に、前記方法において、前記パラメータ情報は、基地局の送信電力情報、および端末の受信電力と比較される第１閾値情報および第１閾値情報の拡張情報を含み、
前記の前記パラメータ情報に基づいて、周波数内測定を行うか否かを判断するステップは、
前記基地局の送信電力情報、前記第１閾値情報および第１閾値情報の拡張情報に基づいて、端末の受信電力と比較するための拡張済みの第４数値を取得するステップと、
端末の受信電力と第４数値を比較するステップと、
端末の受信電力が第４数値より大きい場合、端末の周波数内測定を行わなくてもよいと判断するステップと、
端末の受信電力が第４数値以下である場合、端末の周波数内測定を行う必要があると判断するステップとを含む。
【００１８】
選択可能に、前記方法において、前記パラメータ情報は、基地局の送信電力情報、端末の受信電力と比較される第１閾値情報および第１閾値情報の拡張情報、および端末の受信信号品質と比較される第２閾値情報を含み、
前記の前記パラメータ情報に基づいて、周波数内測定を行うか否かを判断するステップは、
前記基地局の送信電力情報、前記第１閾値情報および閾値情報の拡張情報に基づいて、端末の受信電力と比較するための拡張済みの第４数値を取得し、前記第２閾値情報に基づいて第２数値を得るステップと、
端末の受信電力と第４数値を比較し、端末の受信信号品質と第２数値を比較するステップと、
端末の受信電力が第４数値より大きくかつ端末の受信信号品質が第２数値より大きい場合、端末の周波数内測定を行わなくてもよいと判断するステップと、
端末の受信電力が第４数値以下であり、または端末の受信信号品質が第２数値以下である場合、端末の周波数内測定を行う必要があると判断するステップとを含む。
【００１９】
選択可能に、前記方法において、前記パラメータ情報は、基地局の送信電力情報、端末の受信電力と比較される第１閾値情報および第１閾値情報の拡張情報、および端末の受信の信号対干渉雑音比と比較される第３閾値情報を含み、
前記の前記パラメータ情報に基づいて、周波数内測定を行うか否かを判断するステップは、
前記基地局の送信電力情報、前記第１閾値情報および第１閾値情報の拡張情報に基づいて、端末の受信電力と比較するための拡張済みの第４数値を取得し、前記第３閾値情報に基づいて第３数値を得るステップと、
端末の受信電力と第４数値を比較し、端末の受信の信号対干渉雑音比と第３数値を比較するステップと、
端末の受信電力が第４数値より大きくかつ端末の受信の信号対干渉雑音比が第３数値より大きい場合、端末の周波数内測定を行わなくてもよいと判断するステップと、
端末の受信電力が第４数値以下であり、または端末の受信の信号対干渉雑音比が第３数値以下である場合、端末の周波数内測定を行う必要があると判断するステップとを含む。
【００２０】
本開示の実施例において、
周波数内測定を始動させるか否かを判断するための拡張済みのパラメータ情報を基地局から取得するパラメータ取得ユニットと、
前記パラメータ情報に基づいて、周波数内測定を行うか否かを判断する測定決定ユニットとを含む周波数内測定始動装置をさらに提供する。
【００２１】
選択可能に、前記装置において、前記パラメータ情報は、
基地局の送信電力情報、
端末の受信電力と比較される第１情報であって、第１閾値情報の値の範囲を拡張させた第１情報、
端末の受信信号品質と比較される第２閾値情報、および
端末の受信の信号対干渉雑音比と比較される第３閾値情報のうちの１つまたは複数を含む。
【００２２】
選択可能に、前記装置において、
前記測定決定ユニットは、
第１閾値情報および第１閾値情報の拡張情報に基づいて、端末の受信電力と比較するための拡張済みの第１数値を取得する第１取得ユニットと、
前記第１数値と端末の受信電力に基づいて、周波数内測定を行うか否かを判断する第１判断ユニットとを含む。
【００２３】
選択可能に、前記装置において、前記第１判断ユニットは、
端末の受信電力が第１数値より大きい場合、端末の周波数内測定を行わなくてもよいと判断する第１出力ユニットと、
端末の受信電力が第１数値以下である場合、端末の周波数内測定を行う必要があると判断する第２出力ユニットとを含む。
【００２４】
選択可能に、前記装置において、前記パラメータ情報は、端末の受信電力と比較される第１情報、および端末の受信信号品質と比較される第２閾値情報を含み、
前記測定決定ユニットは、
前記第１閾値情報および第１閾値情報の拡張情報から、端末の受信電力と比較するための拡張済みの第１数値を取得し、前記第２閾値情報に基づいて第２数値を得る第２取得ユニットと、
端末の受信電力と第１数値を比較し、端末の受信信号品質と第２数値を比較し、端末の受信電力が第１数値より大きくかつ端末の受信信号品質が第２数値より大きい場合、端末の周波数内測定を行わなくてもよいと判断し、端末の受信電力が第１数値以下であり、または端末の受信信号品質が第２数値以下である場合、端末の周波数内測定を行う必要があると判断する第２判断ユニットとを含む。
【００２５】
選択可能に、前記装置において、前記パラメータ情報は、端末の受信電力と比較される第１情報、および端末の受信の信号対干渉雑音比と比較される第３閾値情報を含み、
前記測定決定ユニットは、
前記第１閾値情報および第１閾値情報の拡張情報に基づいて、端末の受信電力と比較するための第１数値を取得し、前記第２閾値情報に基づいて第２数値を得、前記第３閾値情報に基づいて第３数値を得る第３取得ユニットと、
端末の受信電力と第１数値を比較し、端末の受信の信号対干渉雑音比と第３数値を比較し、端末の受信電力が第１数値より大きくかつ端末の受信の信号対干渉雑音比が第３数値より大きい場合、端末の周波数内測定を行わなくてもよいと判断し、端末の受信電力が第１数値以下であり、または端末の受信の信号対干渉雑音比が第３数値以下である場合、端末の周波数内測定を行う必要があると判断する第３判断ユニットとを含む。
【００２６】
選択可能に、前記装置において、前記パラメータ情報は、基地局の送信電力情報、および端末の受信電力と比較される第１閾値情報および第１閾値情報の補充情報を含み、
前記測定決定ユニットは、
前記基地局の送信電力情報、前記第１閾値情報および第１閾値情報の補充情報に基づいて、端末の受信電力と比較するための第４数値を取得する第４取得ユニットと、
端末の受信電力と第４数値を比較し、端末の受信電力が第４数値より大きい場合、端末の周波数内測定を行わなくてもよいと判断し、端末の受信電力が第４数値以下である場合、端末の周波数内測定を行う必要があると判断する第４判断ユニットとを含む。
【００２７】
選択可能に、前記装置において、前記パラメータ情報は、基地局の送信電力情報、端末の受信電力と比較される第１情報、および端末の受信信号品質と比較される第２閾値情報を含み、
前記測定決定ユニットは、
前記基地局の送信電力情報、前記第１閾値情報および閾値情報の拡張情報に基づいて、端末の受信電力と比較するための第４数値を取得し、前記第２閾値情報に基づいて第２数値を得る第５取得ユニットと、
端末の受信電力と第４数値を比較し、端末の受信信号品質と第２数値を比較し、端末の受信電力が第４数値より大きくかつ端末の受信信号品質が第２数値より大きい場合、端末の周波数内測定を行わなくてもよいと判断し、端末の受信電力が第４数値以下であり、または端末の受信信号品質が第２数値以下である場合、端末の周波数内測定を行う必要があると判断する第５判断ユニットとを含む。
【００２８】
選択可能に、前記装置において、前記パラメータ情報は、基地局の送信電力情報、端末の受信電力と比較される第１閾値情報および第１閾値情報の補充情報、および端末の受信の信号対干渉雑音比と比較される第３閾値情報を含み、
前記測定決定ユニットは、
前記基地局の送信電力情報、前記第１閾値情報および第１閾値情報の補充情報に基づいて、端末の受信電力と比較するための第４数値を取得し、前記第３閾値情報に基づいて第３数値を得る第６取得ユニットと、
端末の受信電力と第４数値を比較し、端末の受信の信号対干渉雑音比と第３数値を比較し、端末の受信電力が第４数値より大きくかつ端末の受信の信号対干渉雑音比が第３数値より大きい場合、端末の周波数内測定を行わなくてもよいと判断し、端末の受信電力が第４数値以下であり、または端末の受信の信号対干渉雑音比が第３数値以下である場合、端末の周波数内測定を行う必要があると判断する第６判断ユニットとを含む。
【００２９】
本開示の実施例は、１つまたは複数のプロセッサと、メモリと、１つまたは複数のプログラムを含む端末をさらに提供する。
当該端末において、
前記１つまたは複数のプログラムは、前記メモリに記憶され、前記１つまたは複数のプロセッサによって実行されるように構成され、
前記プログラムが実行されると、上記の端末周波数内測定始動方法のステップが実現される。
【００３０】
本開示の実施例は、別の端末の周波数内測定始動方法をさらに提供する。
当該方法において、
基地局が、端末の周波数内測定を始動させるか否かを判断するための拡張済みのパラメータ情報を特定するステップと、
基地局が、前記の端末の周波数内測定を始動させるか否かを判断するためのパラメータ情報を端末に送信するステップとを含む。
【００３１】
選択可能に、前記方法において、前記パラメータ情報は、
基地局の送信電力情報、
端末の受信電力と比較される第１閾値情報および第１閾値情報の拡張情報、
ここで、第１閾値情報がその拡張情報とともに、新規の閾値に対応するフィールドを構成し、または、第１閾値情報は、受信電力の比較用の参照閾値を示し、第１閾値情報の補充情報は、当該参照閾値に対応する基地局の参照送信電力を示し、
端末の受信信号品質と比較される第２閾値情報、および
端末の受信の信号対干渉雑音比と比較される第３閾値情報のうちの１つまたは複数を含む。
【００３２】
本開示の実施例は、別の周波数内測定始動装置をさらに提供する。
当該装置において、
端末の周波数内測定を始動させるか否かを判断するための拡張済みのパラメータ情報を特定する特定ユニットと、
前記の端末の周波数内測定を始動させるか否かを判断するためのパラメータ情報を端末に送信する送信ユニットとを含む。
【００３３】
選択可能に、前記装置において、前記パラメータ情報は、
基地局の送信電力情報、
端末の受信電力と比較される第１閾値情報および第１閾値情報の拡張情報、
ここで、第１閾値情報がその拡張情報とともに、新規の閾値に対応するフィールドを構成し、または、第１閾値情報は、受信電力の比較用の参照閾値を示し、第１閾値情報の補充情報は、当該参照閾値に対応する基地局の参照送信電力を示し、
端末の受信信号品質と比較される第２閾値情報、および
端末の受信の信号対干渉雑音比と比較される第３閾値情報のうちの１つまたは複数を含む。
【００３４】
本開示の実施例は、プロセッサによって実行可能なコンピュータ読み取り可能な指令が記憶されている非揮発性のコンピュータ読み取り可能な記憶媒体をさらに提供する。
前記コンピュータ読み取り可能な指令がプロセッサによって実行されると、
前記プロセッサは、
周波数内測定を始動させるか否かを判断するためのパラメータ情報を基地局から取得する処理と、
前記パラメータ情報に基づいて、周波数内測定を行うか否かを判断する処理とを実行する。
【００３５】
本開示の実施例は、プロセッサと、トランシーバと、メモリとを含む周波数内測定の始動装置をさらに提供する。
前記プロセッサは、前記メモリからプログラムを読み取ることによって、
端末の周波数内測定を始動させるか否かを判断するためのパラメータ情報を特定するプロセスと、
前記の端末の周波数内測定を始動させるか否かを判断するためのパラメータ情報を端末に送信するプロセスとを実行し、
前記トランシーバは、データを送受信し、
前記メモリは、前記プロセッサによる処理実行に用いられるデータを保存する。
【００３６】
本開示の実施例は、プロセッサによって実行可能なコンピュータ読み取り可能な指令が記憶されている非揮発性のコンピュータ読み取り可能な記憶媒体をさらに提供する。
前記コンピュータ読み取り可能な指令がプロセッサによって実行されると、
前記プロセッサは、
端末の周波数内測定を始動させるか否かを判断するためのパラメータ情報を特定する処理と、
前記の端末の周波数内測定を始動させるか否かを判断するためのパラメータ情報を端末に送信する処理とを実行する。
【発明の効果】
【００３７】
関連技術より、本開示の実施例における端末の周波数内測定始動方法、装置、端末及び基地局によれば、端末が移動性パラメータを動的に調整することによって、セルの再選択や切り替えなどの移動性制御をタイムリーに行い、より好適な品質のネットワークサービスを取得することができる。また、本開示の実施例によれば、端末が、基地局の移動性パラメータ調整情報に基づいて移動性パラメータを自ら調整し、柔軟な移動性制御処理を実現することができる。
【図面の簡単な説明】
【００３８】
本開示の実施例の技術手段をより明確に説明するために、以下、本開示の実施例の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【００３９】
【図１】本開示の一部実施例における端末の周波数内測定始動方法のフローチャートである。
【図２】本開示の一部実施例における端末の周波数内測定始動方法の別のフローチャートである。
【図３】本開示の一部実施例における端末の周波数内測定始動方法の別のフローチャートである。
【図４】本開示の一部実施例における端末の周波数内測定始動方法の別のフローチャートである。
【図５】本開示の一部実施例における端末の周波数内測定始動方法の別のフローチャートである。
【図６】本開示の一部実施例における端末の周波数内測定始動方法の別のフローチャートである。
【図７】本開示の一部実施例における端末の周波数内測定始動方法の別のフローチャートである。
【図８】本開示の一部実施例における端末の周波数内測定始動方法の別のフローチャートである。
【図９】本開示の一部実施例における周波数内測定始動装置の構造図である。
【図１０】本開示の一部実施例における周波数内測定始動装置の別の構造図である。
【図１１】本開示の一部実施例における電子機器の構造図である。
【発明を実施するための形態】
【００４０】
本開示の解決しようとする技術課題、技術手段及び利点をより明確にするために、以下、図面および具体的な実施例を通じて詳細に記載する。以下の記載において、本開示の実施例に対する全面的理解へのほう助だけの目的で、具体的な構成や構成部品の特定な細部を提供する。よって、本開示の範囲や精神を逸脱することなく、ここに記載の実施例に対し様々な変更や修正を行うことができることは、当業者にとって自明である。また、明確化と簡潔化のために、周知されている機能や構造に関する記載を省略している。
【００４１】
なお、明細書の全文にわたって言及されている「１つの実施例」や「一実施例」とは、実施例に関連する特定の特徴、構造または特性が本開示の少なくとも１つの実施例に含まれることを意味する。従って、明細書の各箇所に記載されている「１つの実施例において」や「一実施例において」とは、必ずしも同一の実施例を指すとは限らない。また、これらの特定の特徴、構造または特性は、任意かつ適切な方式で１つまたは複数の実施例に組み入れられることができる。
【００４２】
本開示の各実施例において、下記各プロセスの番号の大きさは、実行順の前後を意味するのではなく、各プロセスの実行順は、その機能および内在的な論理によって確定されるものであり、本開示の実施例の実施プロセスに対しいっさい限定を構成しないと理解すべきである。
【００４３】
本開示の実施例において、基地局は、形態が限定されず、マクロ基地局（Ｍａｃｒｏ  Ｂａｓｅ  Ｓｔａｔｉｏｎ）、ピコ基地局（Ｐｉｃｏ  Ｂａｓｅ  Ｓｔａｔｉｏｎ）、Ｎｏｄｅ  Ｂ（３Ｇモバイル基地局の呼称）、ｅＮＢ（Ｅｎｈａｎｃｅｄ  Ｎｏｄｅ  Ｂ）、家庭強化型基地局（Ｆｅｍｔｏ  ｅＮＢまたはＨｏｍｅ  ｅＮｏｄｅ  ＢまたはＨｏｍｅ  ｅＮＢまたはＨｅＮＢ）、中継局、アクセスポイント、ＲＲＵ（Ｒｅｍｏｔｅ  Ｒａｄｉｏ  Ｕｎｉｔ）、ＲＲＨ（Ｒｅｍｏｔｅ  Ｒａｄｉｏ  Ｈｅａｄ）、５Ｇ移動通信システムにおけるネットワーク側ノードのＣＵ（Ｃｅｎｔｒａｌ  Ｕｎｉｔ）やＤＵ（Ｄｉｓｔｒｉｂｕｔｅｄ  Ｕｎｉｔ）などである。端末は、モバイル電話（または携帯電話）や、無線信号の送受信が可能な機器であり、ユーザ機器（ＵＥ）、パーソナルデジタルアシスタント（ＰＤＡ）、無線モデム、無線通信装置、ハンドヘルドデバイス、ラップトップコンピュータ、コードレス電話、無線ローカルループ（ＷＬＬ）局、移動信号をＷｉＦｉ信号に変換可能なＣＰＥ（Ｃｕｓｔｏｍｅｒ  Ｐｒｅｍｉｓｅ  Ｅｑｕｉｐｍｅｎｔ）やモバイルワイファイホットスポット、スマート家電、またはそれ以外の人の操作によらずに自発的に移動通信ネットワークと通信可能な機器などが含まれる。
【００４４】
図１を参照し、本開示の一部実施例における端末の周波数内測定始動方法は、端末に応用可能である。図１に示すように、当該方法において、以下のステップを含む。
【００４５】
ステップ１１において、周波数内測定を始動させるか否かを判断するための拡張済みのパラメータ情報を基地局から取得する。
【００４６】
本開示の一部実施例において、前記周波数内測定を始動させるか否かを判断するためのパラメータ情報は、基地局の送信電力情報、端末の受信電力と比較される第１情報であって、第１閾値情報の値の範囲を拡張させた第１情報、端末の受信信号品質と比較される第２閾値情報、および端末の受信の信号対干渉雑音比と比較される第３閾値情報のうちの１つまたは複数を含む。
【００４７】
ここで、１つの実現方式として、第１閾値情報は、その補充情報とともに、新規の閾値に対応するフィールドを構成する。別の実現方式として、第１閾値情報は、受信電力の比較用の参照閾値を示し、第１閾値情報の補充情報は、当該参照閾値に対応する基地局の参照送信電力を示す。
【００４８】
ステップ１２において、前記パラメータ情報に基づいて、周波数内測定を行うか否かを判断する。
【００４９】
ここで、端末は、前記パラメータ情報を受信すると、前記パラメータ情報に基づいて、周波数内測定を始動させるための参照値を特定し、当該参照値と端末の現在の受信状態との比較結果に基づいて、周波数内測定を行う必要があるかを判断する。ここで、端末の現在の受信状態は、端末の受信電力、受信信号品質および受信の信号対干渉雑音比のうちの１つまたは複数を含む。周波数内測定を行う必要があると判断すると、周波数内の隣接セルの測定プロセスを始動させ、関連する測定パラメータを取得してネットワークに報知することによって、移動性制御を行う。
【００５０】
以上のステップによって、本開示の一部実施例において、基地局から送信され、周波数内測定を始動させるか否かを判断するためのパラメータ情報を拡張させることによって、端末は、前記パラメータ情報に基づいて、より大きい数値範囲を示すことのできる移動性パラメータを特定することができ、セル選択やセル切り替えなどの移動性制御に用いる。基地局から一定の移動性パラメータを直接的に送信する関連技術の方式より、本開示の一部実施例において、基地局から送信される前記パラメータ情報を拡張させ、移動性制御プロセスでより大きい受信電力範囲をサポート可能にし、端末によるタイムリーなセル再選択／切り替えを保証する。
【００５１】
本開示の一部実施例において、基地局から送信され、周波数内測定を始動させるか否かを判断するための前記パラメータ情報は、基地局の送信電力情報、端末の受信電力と比較される第１閾値情報および第１閾値情報の補充情報、端末の受信信号品質と比較される第２閾値情報、および端末の受信の信号対干渉雑音比と比較される第３閾値情報のうちの１つまたは複数を含む。好適な方式として、本開示の一部実施例において基地局から送信される前記パラメータ情報は、通常、少なくとも、端末の受信電力と比較される第１閾値情報および第１閾値情報の補充情報を含む。１つの実現方式として、基地局から送信される前記パラメータ情報は、上記第１閾値情報および上記補充情報のみを含む。別の実現方式として、前記パラメータ情報は、基地局の送信電力情報、端末の受信信号品質と比較される第２閾値情報、および端末の受信の信号対干渉雑音比と比較される第３閾値情報のうちの１つまたは複数を含む。
【００５２】
以下、基地局から送信される前記パラメータ情報の異なる内容を詳細に説明する。
【００５３】
図２を参照し、本開示の一部実施例における端末の周波数内測定始動方法の別のフローチャートである。当該方法は、端末に応用可能であり、図２に示すように、以下のステップを含む。
【００５４】
ステップ２１において、周波数内測定を始動させるか否かを判断するためのパラメータ情報を基地局から取得する。前記パラメータ情報は、端末の受信電力と比較される第１閾値情報および第１閾値情報の補充情報である。
【００５５】
ここで、前記パラメータ情報は、上記第１閾値情報およびその補充情報のみを含む。関連技術との汎用のために、第１閾値情報は、関連技術における電力閾値パラメータが用いられ、例えば、ＳｉｎｔｒａｓｅａｒｃｈＰフィールドが用いられる。ＳｉｎｔｒａｓｅａｒｃｈＰ＝ＲｅｓｅｌｅｃｔｉｏｎＴｈｒｅｓｈｏｌｄであり、５ビットから構成されるため、（０…３１）ｘ２の整数を示すことができる。より大きい数値範囲を得るには、本開示の一部実施例において、関連技術におけるＳｉｎｔｒａｓｅａｒｃｈＰを基に、第１閾値情報の補充情報を導入する。当該補充情報は、１または複数のビットを含む。例えば、関連技術におけるＳｉｎｔｒａｓｅａｒｃｈＰの５ビットを基に、さらに１ビットの第１閾値情報の補充情報を追加して６ビットのパラメータを得ることができる。当該パラメータは、（０…６３）ｘ２の整数を示すことができる。
【００５６】
以上の例は、単に第１閾値情報およびその補充情報の具体的な実現方式の１つである。本開示の一部の実施例は、ほかのカスタマイズ方式を採用することもでき、対応する情報を定義するフィールドおよび表現方式について、ここでは例示して説明しない。
【００５７】
ステップ２２において、第１閾値情報および第１閾値情報の拡張情報から、端末の受信電力と比較するための拡張済みの第１数値を取得する。
【００５８】
ここで、本開示の一部実施例において、第１閾値情報の補充情報に基づいて第１閾値の範囲を拡張させる。補充情報が第１閾値情報とともに新規のフィールドを構成し、当該新規のフィールドに基づいて第１数値を特定する。例えば、上記の例のように、関連技術におけるＳｉｎｔｒａｓｅａｒｃｈＰ（第１閾値情報）の５ビットを基に、さらに１ビットの第１閾値情報の補充情報を追加して６ビットのパラメータを得ることができ、当該パラメータが（０…６３）ｘ２の整数を示すことができる。当該パラメータの数値に基づいて、端末の受信電力と比較するための第１数値を取得することができる。
【００５９】
ステップ２３において、前記第１数値と端末の受信電力に基づいて、周波数内測定を行うか否かを判断する。
【００６０】
第１数値を特定すると、第１数値と、端末によるセル受信電力の現在の測定結果に基づいて、周波数内の隣接セルの測定を行う必要があるかを判断する。具体的に、端末の受信電力が第１数値より大きい場合、端末の周波数内測定を行わなくてもよいと判断するが、端末の受信電力が第１数値以下である場合、端末の周波数内測定を行う必要があると判断する。
【００６１】
本開示の一部実施例において、第１閾値情報およびその補充情報を例とし、本開示の１つの実現方式を説明した。当該実現方式において、第１閾値情報で示すことのできる数値範囲を補充情報で拡張させることによって、より大きい電力閾値範囲をサポート可能にし、電力が移動性プロセス（例えばセルの再選択）を始動させるレンジを超えることによって移動性プロセスを始動させることができない問題を避ける。
【００６２】
図３を参照し、本開示の一部実施例における別の端末の周波数内測定始動方法の別のフローチャートである。当該方法は、端末に応用可能であり、図３に示すように、以下のステップを含む。
【００６３】
ステップ３１において、周波数内測定を始動させるか否かを判断するためのパラメータ情報を基地局から取得する。前記パラメータ情報は、端末の受信電力と比較される第１情報、および端末の受信信号品質と比較される第２閾値情報を含む。
【００６４】
ここで、前記パラメータ情報は、上記第１閾値情報およびその補充情報のほかに、前記第２閾値情報をさらに含む。類似的に、関連技術との汎用のために、第１閾値情報は、関連技術における電力閾値パラメータが用いられ、例えば、ＳｉｎｔｒａｓｅａｒｃｈＰフィールドが用いられる。ＳｉｎｔｒａｓｅａｒｃｈＰ＝ＲｅｓｅｌｅｃｔｉｏｎＴｈｒｅｓｈｏｌｄであり、５ビットから構成されるため、（０…３１）ｘ２の整数を示すことができる。より大きい数値範囲を得るには、本開示の一部実施例において、関連技術におけるＳｉｎｔｒａｓｅａｒｃｈＰを基に、第１閾値情報の補充情報を導入し、当該補充情報が１または複数のビットを含む。例えば、関連技術におけるＳｉｎｔｒａｓｅａｒｃｈＰの５ビットを基に、さらに１ビットの第１閾値情報の補充情報を追加して６ビットのパラメータを得ることができ、当該パラメータが（０…６３）ｘ２の整数を示すことができる。前記第２閾値情報は、関連技術におけるＳｉｎｔｒａｓｅａｒｃｈＱフィールド、すなわちＲＳＲＱの閾値が用いられる。
【００６５】
以上の例は、単に第１閾値情報およびその補充情報および第２閾値情報の具体的な実現方式の１つである。本開示の一部の実施例は、ほかのカスタマイズ方式を採用することもでき、対応する情報を定義するフィールドおよび表現方式について、ここでは例示して説明しない。
【００６６】
ステップ３２において、前記第１閾値情報および第１閾値情報の拡張情報に基づいて、端末の受信電力と比較するための拡張済みの第１数値を取得し、前記第２閾値情報に基づいて第２数値を得る。
【００６７】
ここで、本開示の一部実施例において、第１閾値情報の補充情報に基づいて第１閾値の範囲を拡張させる。具体的に、補充情報が第１閾値情報とともに新規のフィールドを構成し、当該新規のフィールドに基づいて第１数値を特定する。例えば、上記の例のように、関連技術におけるＳｉｎｔｒａｓｅａｒｃｈＰ（第１閾値情報）の５ビットを基に、さらに１ビットの第１閾値情報の補充情報を追加して６ビットのパラメータを得ることができ、当該パラメータが（０…６３）ｘ２の整数を示すことができる。当該パラメータの数値に基づいて、端末の受信電力と比較するための第１数値を取得することができる。また、第２閾値情報に付帯される具体値に基づいて第２数値を得る。
【００６８】
ステップ３３において、前記第１数値、第２数値、端末の受信電力および端末の受信信号品質に基づいて、周波数内測定を行うかを判断する。
【００６９】
ここで、具体的に、端末の受信電力と第１数値を比較し、端末の受信信号品質と第２数値を比較する。端末の受信電力が第１数値より大きくかつ端末の受信信号品質が第２数値より大きい場合、端末の周波数内測定を行わなくてもよいと判断するが、端末の受信電力が第１数値以下であり、または端末の受信信号品質が第２数値以下である場合、端末の周波数内測定を行う必要があると判断する。
【００７０】
以上の実施例は、第１閾値情報およびその補充情報、および第２閾値情報を例とし、本開示の１つの実現方式を説明した。当該実現方式において、第１閾値情報で示すことのできる数値範囲を補充情報で拡張させることによって、より大きい電力閾値範囲をサポート可能にし、電力が移動性プロセス（例えばセルの再選択）を始動させるレンジを超えることによって移動性プロセスを始動させることができない問題を避ける。本開示の一部実施例において、第２閾値情報をさらに導入して端末の受信信号品質と比較し、受信電力と第１数値の比較結果、および、受信信号品質と第２数値の比較結果に基づいて、周波数内測定を行う必要があるかを特定する。
【００７１】
図４を参照し、本開示の一部実施例における別の端末の周波数内測定始動方法の別のフローチャートである。当該方法は、端末に応用可能であり、図４に示すように、以下のステップを含む。
【００７２】
ステップ４１において、周波数内測定を始動させるか否かを判断するためのパラメータ情報を基地局から取得する。前記パラメータ情報は、端末の受信電力と比較される第１情報、および端末の受信の信号対干渉雑音比と比較される第３閾値情報を含む。
【００７３】
ここで、前記パラメータ情報は、上記第１閾値情報およびその補充情報のほかに、前記第１閾値情報をさらに含む。類似的に、関連技術との汎用のために、第１閾値情報は、関連技術における電力閾値パラメータが用いられ、例えば、ＳｉｎｔｒａｓｅａｒｃｈＰフィールドが用いられる。ＳｉｎｔｒａｓｅａｒｃｈＰ＝ＲｅｓｅｌｅｃｔｉｏｎＴｈｒｅｓｈｏｌｄであり、５ビットから構成されるため、（０…３１）ｘ２の整数を示すことができる。より大きい数値範囲を得るには、本開示の一部実施例において、関連技術におけるＳｉｎｔｒａｓｅａｒｃｈＰを基に、第１閾値情報の補充情報を導入し、当該補充情報が１または複数のビットを含む。例えば、関連技術におけるＳｉｎｔｒａｓｅａｒｃｈＰの５ビットを基に、さらに１ビットの第１閾値情報の補充情報を追加して６ビットのパラメータを得ることができ、当該パラメータが（０…６３）ｘ２の整数を示すことができる。前記第３閾値情報は、ネットワーク側から特定されて配信されるＳＩＮＲの閾値情報である。
【００７４】
以上の例は、単に第１閾値情報およびその補充情報および第１閾値情報の具体的な実現方式の１つである。本開示の一部の実施例は、ほかのカスタマイズ方式を採用することもでき、対応する情報を定義するフィールドおよび表現方式について、ここでは例示して説明しない。
【００７５】
ステップ４２において、前記第１閾値情報および第１閾値情報の拡張情報に基づいて、端末の受信電力と比較するための拡張済みの第１数値を取得し、前記第３閾値情報に基づいて第３数値を得る。
【００７６】
ここで、本開示の一部実施例において、第１閾値情報の補充情報に基づいて第１閾値の範囲を拡張させる。具体的に、補充情報が第１閾値情報とともに新規のフィールドを構成し、当該新規のフィールドに基づいて第１数値を特定する。例えば、上記の例のように、関連技術におけるＳｉｎｔｒａｓｅａｒｃｈＰ（第１閾値情報）の５ビットを基に、さらに１ビットの第１閾値情報の補充情報を追加して６ビットのパラメータを得ることができ、当該パラメータが（０…６３）ｘ２の整数を示すことができる。当該パラメータの数値に基づいて、端末の受信電力と比較するための第１数値を取得することができる。また、第３閾値情報に付帯される具体値に基づいて第３数値を得る。
【００７７】
ステップ４３において、前記第１数値、第３数値、端末の受信電力および端末の受信の信号対干渉雑音比に基づいて、周波数内測定を行うかを判断する。
【００７８】
ここで、具体的に、端末の受信電力と第１数値を比較し、端末の受信の信号対干渉雑音比と第３数値を比較する。端末の受信電力が第１数値より大きくかつ端末の受信の信号対干渉雑音比が第３数値より大きい場合、端末の周波数内測定を行わなくてもよいと判断するが、端末の受信電力が第１数値以下であり、または端末の受信の信号対干渉雑音比が第３数値以下である場合、端末の周波数内測定を行う必要があると判断する。
【００７９】
本開示の一部実施例は、第１閾値情報およびその補充情報、および第３閾値情報を例とし、本開示の１つの実現方式を説明した。当該実現方式において、第１閾値情報で示すことのできる数値範囲を補充情報で拡張させることによって、より大きい電力閾値範囲をサポート可能にし、電力が移動性プロセス（例えばセルの再選択）を始動させるレンジを超えることによって移動性プロセスを始動させることができない問題を避ける。本開示の一部実施例において、第３閾値情報をさらに導入して端末の受信の信号対干渉雑音比と比較し、受信電力と第１数値の比較結果、および、受信の信号対干渉雑音比と第３数値の比較結果に基づいて、周波数内測定を行う必要があるかを特定する。
【００８０】
図５を参照し、本開示の一部実施例における別の端末の周波数内測定始動方法の別のフローチャートである。当該方法は、端末に応用可能であり、図５に示すように、以下のステップを含む。
【００８１】
ステップ５１において、周波数内測定を始動させるか否かを判断するためのパラメータ情報を基地局から取得する。前記パラメータ情報は、基地局の送信電力情報、および端末の受信電力と比較される第１閾値情報および第１閾値情報の拡張情報を含む。
【００８２】
ここで、端末は、前記基地局の実際の送信電力情報および第１閾値情報およびその補充情報を取得する。前記第１閾値情報は、受信電力の比較用の１つの参照閾値を示し、第１閾値情報の補充情報は、当該参照閾値に対応する基地局の参照送信電力を示す。すなわち、当該基地局の送信電力が当該参照送信電力である場合、受信電力の比較用の参照閾値は、第１閾値情報に付帯される数値である。
【００８３】
ここで、前記基地局の送信電力情報は、基地局から送信されるブロードキャスト情報から取得され、基地局の実際の送信電力を示す。例えば、基地局は、その送信電力情報をシステムメッセージに付帯してブロードキャスト送信し、端末は、基地局からブロードキャスト送信されるシステムメッセージから、基地局の送信電力情報を取得する。具体的に、システム情報ブロック２（ＳＩＢ２）の「ＰＤＳＣＨ−Ｃｏｎｆｉｇ」メッセージの「ｒｅｆｅｒｅｎｃｅＳｉｇｎａｌＰｏｗｅｒ」に基地局の送信電力情報を付帯する。「ｒｅｆｅｒｅｎｃｅＳｉｇｎａｌＰｏｗｅｒ」の値の範囲は、（−６０〜５０）であり、比較的大きい範囲の送信電力を示すことができる。「ＰＤＳＣＨ−Ｃｏｎｆｉｇ」の情報エレメント（ＩＥ）の定義は、以下であり、ｒｅｆｅｒｅｎｃｅＳｉｇｎａｌＰｏｗｅｒが含まれる。
2020517180.tif 000019
【００８４】
以上の例は、単に基地局から送信電力を通知する１つの実現方式である。これ以外に、基地局は、ほかのシステムメッセージまたは専用シグナリング（例えばＲＲＣシグナリング）によって前記送信電力情報を送信してもよい。
【００８５】
前記の端末の受信電力と比較される第１閾値情報および第１閾値情報の補充情報は、基地局からブロードキャストメッセージまたは所定のシグナリングメッセージ（例えばＲＲＣシグナリングメッセージ）によって端末に送信される。もちろん、前記第１閾値情報及びその補充情報は、端末側で予め設定されてもよい。
【００８６】
ステップ５２において、前記基地局の送信電力情報、前記第１閾値情報および第１閾値情報の拡張情報に基づいて、端末の受信電力と比較するための拡張済みの第４数値を取得する。
【００８７】
ここで、第１閾値情報およびその補充情報で示す参照送信電力と参照閾値に基づいて、前記基地局の実際の送信電力情報に対応する実際の閾値を特定することによって、前記第４数値を取得する。具体的に、第１閾値情報の補充情報に対する前記基地局の送信電力情報のオフセットを算出し、それから、前記オフセットに基づいて、前記第１閾値情報を調整して第４数値を得る。
【００８８】
例えば、ネットワークからブロードキャストされる基地局の実際の送信電力が３２．２ｄＢｍであり、第１閾値情報で示す値は、６０ｄＢであり、第１閾値情報の補充情報で示す値は、１５．２ｄＢｍである（すなわち、基地局の送信電力が１５．２ｄＢｍである場合に対応する応用シーンであり、この場合端末に適用する閾値が６０ｄＢである。）。よって、基地局の実際の送信電力が３２．２ｄＢｍである場合、端末に適用する閾値は、６０ｄＢ＋（３２．２ｄＢｍ−１５．２ｄＢｍ）＝７７ｄＢである。すなわち、第４数値は、７７ｄＢである。
【００８９】
ステップ５３において、端末の受信電力と第４数値を比較し、周波数内測定を行うかを判断する。
【００９０】
ここで、具体的に、端末の受信電力が第４数値より大きい場合、端末の周波数内測定を行わなくてもよいと判断するが、端末の受信電力が第４数値以下である場合、端末の周波数内測定を行う必要があると判断する。
【００９１】
本開示の一部実施例において、第１閾値情報及びその補充情報、および基地局の送信電力を例とし、本開示の１つの実現方式を説明した。当該実現方式において、基地局から送信される第１閾値情報及びその補充情報によって、端末は、現在の受信電力に基づいて、第１閾値情報で示す閾値を調整することができ、基地局の実際の送信電力に基づく閾値の動的調整を実現し、移動性パラメータを動的に調整し、端末の移動性プロセスをタイムリーに始動させる。
【００９２】
図６を参照し、本開示の一部実施例における別の端末の周波数内測定始動方法の別のフローチャートである。当該方法は、端末に応用可能であり、図６に示すように、以下のステップを含む。
【００９３】
ステップ６１において、周波数内測定を始動させるか否かを判断するためのパラメータ情報を基地局から取得する。前記パラメータ情報は、基地局の送信電力情報、端末の受信電力と比較される第１閾値情報および第１閾値情報の拡張情報、および端末の受信信号品質と比較される第２閾値情報を含む。
【００９４】
ここで、端末は、前記基地局の実際の送信電力情報および第１閾値情報およびその補充情報を取得する。前記第１閾値情報は、受信電力の比較用の１つの参照閾値を示し、第１閾値情報の補充情報は、当該参照閾値に対応する基地局の参照送信電力を示す。すなわち、当該基地局の送信電力が当該参照送信電力である場合、受信電力の比較用の参照閾値は、第１閾値情報に付帯される数値である。
【００９５】
ここで、前記基地局の送信電力情報は、基地局から送信されるブロードキャスト情報から取得され、基地局の実際の送信電力を示す。
【００９６】
ここで、前記第２閾値情報は、関連技術におけるＳｉｎｔｒａｓｅａｒｃｈＱフィールド、すなわちＲＳＲＱの閾値が用いられる。
【００９７】
ステップ６２において、前記基地局の送信電力情報、前記第１閾値情報および閾値情報の拡張情報に基づいて、端末の受信電力と比較するための拡張済みの第４数値を取得し、前記第２閾値情報に基づいて第２数値を得る。
【００９８】
ここで、第１閾値情報およびその補充情報で示す参照送信電力と参照閾値に基づいて、前記基地局の実際の送信電力情報に対応する実際の閾値を特定することによって、前記第４数値を取得する。具体的に、第１閾値情報の補充情報に対する前記基地局の送信電力情報のオフセットを算出し、それから、前記オフセットに基づいて、前記第１閾値情報を調整して第４数値を得る。また、第２閾値情報に付帯される具体値に基づいて、第２数値を得る。
【００９９】
ステップ６３において、端末の受信電力と第４数値を比較し、端末の受信信号品質と第２数値を比較して、周波数内測定を行うかを判断する。
【０１００】
ここで、端末の受信電力が第４数値より大きくかつ端末の受信信号品質が第２数値より大きい場合、端末の周波数内測定を行わなくてもよいと判断するが、端末の受信電力が第４数値以下であり、または端末の受信信号品質が第２数値以下である場合、端末の周波数内測定を行う必要があると判断する。
【０１０１】
本開示の一部実施例において、第１閾値情報及びその補充情報、基地局の送信電力、および端末の受信信号品質と比較される第２閾値情報を例とし、本開示の１つの実現方式を説明した。当該実現方式において、基地局から送信される第１閾値情報及びその補充情報によって、端末は、現在の受信電力に基づいて、第１閾値情報で示す閾値を調整することができ、基地局の実際の送信電力に基づく閾値の動的調整を実現し、移動性パラメータを動的に調整し、端末の移動性プロセスをタイムリーに始動させる。本開示の一部実施例において、第２閾値情報をさらに導入して端末の受信信号品質と比較し、受信電力と第１数値の比較結果、および受信信号品質と第２数値の比較結果に基づいて、周波数内測定を行う必要があるかを特定する。
【０１０２】
図７を参照し、本開示の一部実施例における別の端末の周波数内測定始動方法の別のフローチャートである。当該方法は、端末に応用可能であり、図７に示すように、以下のステップを含む。
【０１０３】
ステップ７１において、周波数内測定を始動させるか否かを判断するためのパラメータ情報を基地局から取得する。前記パラメータ情報は、基地局の送信電力情報、端末の受信電力と比較される第１閾値情報および第１閾値情報の拡張情報、および端末の受信の信号対干渉雑音比と比較される第３閾値情報を含む。
【０１０４】
ここで、端末は、前記基地局の実際の送信電力情報および第１閾値情報およびその補充情報を取得する。前記第１閾値情報は、受信電力の比較用の１つの参照閾値を示し、第１閾値情報の補充情報は、当該参照閾値に対応する基地局の参照送信電力を示す。すなわち、当該基地局の送信電力が当該参照送信電力である場合、受信電力の比較用の参照閾値は、第１閾値情報に付帯される数値である。
【０１０５】
ここで、前記基地局の送信電力情報は、基地局から送信されるブロードキャスト情報から取得され、基地局の実際の送信電力を示す。前記第３閾値情報は、ネットワーク側から特定されて配信されるＳＩＮＲの閾値情報である。
【０１０６】
ステップ７２において、前記基地局の送信電力情報、前記第１閾値情報および第１閾値情報の拡張情報に基づいて、端末の受信電力と比較するための拡張済みの第４数値を取得し、前記第３閾値情報に基づいて第３数値を得る。
【０１０７】
ここで、第１閾値情報およびその補充情報で示す参照送信電力と参照閾値に基づいて、前記基地局の実際の送信電力情報に対応する実際の閾値を特定することによって、前記第４数値を取得する。具体的に、第１閾値情報の補充情報に対する前記基地局の送信電力情報のオフセットを算出し、それから、前記オフセットに基づいて、前記第１閾値情報を調整して第４数値を得る。また、第３閾値情報に付帯される具体値に基づいて、第３数値を得る。
【０１０８】
ステップ７３において、端末の受信電力と第４数値を比較し、端末の受信の信号対干渉雑音比と第３数値を比較して、周波数内測定を行うかを判断する。
【０１０９】
ここで、端末の受信電力が第４数値より大きくかつ端末の受信の信号対干渉雑音比が第３数値より大きい場合、端末の周波数内測定を行わなくてもよいと判断するが、端末の受信電力が第４数値以下であり、または端末の受信信号品質が第３数値以下である場合、端末の周波数内測定を行う必要があると判断する。
【０１１０】
本開示の一部実施例において、第１閾値情報及びその補充情報、基地局の送信電力、および端末の受信信号品質と比較される第２閾値情報を例とし、本開示の１つの実現方式を説明した。当該実現方式において、基地局から送信される第１閾値情報及びその補充情報によって、端末は、現在の受信電力に基づいて、第１閾値情報で示す閾値を調整することができ、基地局の実際の送信電力に基づく閾値の動的調整を実現し、移動性パラメータを動的に調整し、端末の移動性プロセスをタイムリーに始動させる。本開示の一部実施例において、第３閾値情報をさらに導入して端末の受信の信号対干渉雑音比と比較し、受信電力と第４数値の比較結果、および受信の信号対干渉雑音比と第３数値の比較結果に基づいて、周波数内測定を行う必要があるかを特定する。
【０１１１】
図８に示すように、本開示の一部実施例における端末の周波数内測定始動方法は、基地局側に応用される場合、以下のステップを含む。
【０１１２】
ステップ８１において、基地局は、端末の周波数内測定を始動させるか否かを判断するための拡張済みのパラメータ情報を特定する。
【０１１３】
ここで、前記パラメータ情報は、基地局の送信電力情報、端末の受信電力と比較される第１閾値情報および第１閾値情報の拡張情報、端末の受信信号品質と比較される第２閾値情報、および端末の受信の信号対干渉雑音比と比較される第３閾値情報のうちの１つまたは複数を含み、ここで、第１閾値情報がその拡張情報とともに、新規の閾値に対応するフィールドを構成し、または、第１閾値情報は、受信電力の比較用の参照閾値を示し、第１閾値情報の補充情報は、当該参照閾値に対応する基地局の参照送信電力を示す。
【０１１４】
ステップ８２において、基地局は、前記の端末の周波数内測定を始動させるか否かを判断するためのパラメータ情報を端末に送信する。
【０１１５】
本開示の一部実施例における方法に基づき、本開示は、周波数内測定始動装置を抵抗する。当該装置は、端末に設置されることができる。
図９に示すように、当該装置は、周波数内測定を始動させるか否かを判断するための拡張済みのパラメータ情報を基地局から取得するパラメータ取得ユニット９１と、前記パラメータ情報に基づいて、周波数内測定を行うか否かを判断する測定決定ユニット９２とを含む。
【０１１６】
ここで、前記パラメータ情報は、基地局の送信電力情報、端末の受信電力と比較される第１情報であって、第１閾値情報の値の範囲を拡張させた第１情報、端末の受信信号品質と比較される第２閾値情報、および端末の受信の信号対干渉雑音比と比較される第３閾値情報のうちの１つまたは複数を含む。
【０１１７】
１つの実現方式として、前記パラメータ情報は、端末の受信電力と比較される第１閾値情報および第１閾値情報の補充情報であり、前記測定決定ユニットは、第１閾値情報および第１閾値情報の拡張情報から、端末の受信電力と比較するための拡張済みの第１数値を取得する第１取得ユニットと、前記第１数値と端末の受信電力に基づいて、周波数内測定を行うか否かを判断する第１判断ユニットとを含む。
【０１１８】
１つの実現方式として、前記第１判断ユニットは、
端末の受信電力が第１数値より大きい場合、端末の周波数内測定を行わなくてもよいと判断する第１出力ユニットと、
端末の受信電力が第１数値以下である場合、端末の周波数内測定を行う必要があると判断する第２出力ユニットとを含む。
【０１１９】
１つの実現方式として、前記パラメータ情報は、端末の受信電力と比較される第１閾値情報および第１閾値情報の補充情報、および端末の受信信号品質と比較される第２閾値情報を含み、
前記測定決定ユニットは、
前記第１閾値情報および第１閾値情報の拡張情報から、端末の受信電力と比較するための拡張済みの第１数値を取得し、前記第２閾値情報に基づいて第２数値を得る第２取得ユニットと、
端末の受信電力と第１数値を比較し、端末の受信信号品質と第２数値を比較し、端末の受信電力が第１数値より大きくかつ端末の受信信号品質が第２数値より大きい場合、端末の周波数内測定を行わなくてもよいと判断し、端末の受信電力が第１数値以下であり、または端末の受信信号品質が第２数値以下である場合、端末の周波数内測定を行う必要があると判断する第２判断ユニットとを含む。
【０１２０】
１つの実現方式として、前記パラメータ情報は、端末の受信電力と比較される第１閾値情報および第１閾値情報の補充情報、および端末の受信の信号対干渉雑音比と比較される第３閾値情報を含み、
前記測定決定ユニットは、
前記第１閾値情報および第１閾値情報の拡張情報に基づいて、端末の受信電力と比較するための第１数値を取得し、前記第２閾値情報に基づいて第２数値を得、前記第３閾値情報に基づいて第３数値を得る第３取得ユニットと、
端末の受信電力と第１数値を比較し、端末の受信の信号対干渉雑音比と第３数値を比較し、端末の受信電力が第１数値より大きくかつ端末の受信の信号対干渉雑音比が第３数値より大きい場合、端末の周波数内測定を行わなくてもよいと判断し、端末の受信電力が第１数値以下であり、または端末の受信の信号対干渉雑音比が第３数値以下である場合、端末の周波数内測定を行う必要があると判断する第３判断ユニットとを含む。
【０１２１】
１つの実現方式として、前記パラメータ情報は、基地局の送信電力情報、および端末の受信電力と比較される第１閾値情報および第１閾値情報の補充情報を含み、
前記測定決定ユニットは、
前記基地局の送信電力情報、前記第１閾値情報および第１閾値情報の補充情報に基づいて、端末の受信電力と比較するための第４数値を取得する第４取得ユニットと、
端末の受信電力と第４数値を比較し、端末の受信電力が第４数値より大きい場合、端末の周波数内測定を行わなくてもよいと判断し、端末の受信電力が第４数値以下である場合、端末の周波数内測定を行う必要があると判断する第４判断ユニットとを含む。
【０１２２】
１つの実現方式として、前記パラメータ情報は、基地局の送信電力情報、端末の受信電力と比較される第１閾値情報および第１閾値情報の補充情報、および端末の受信信号品質と比較される第２閾値情報を含み、
前記測定決定ユニットは、
前記基地局の送信電力情報、前記第１閾値情報および閾値情報の拡張情報に基づいて、端末の受信電力と比較するための第４数値を取得し、前記第２閾値情報に基づいて第２数値を得る第５取得ユニットと、
端末の受信電力と第４数値を比較し、端末の受信信号品質と第２数値を比較し、端末の受信電力が第４数値より大きくかつ端末の受信信号品質が第２数値より大きい場合、端末の周波数内測定を行わなくてもよいと判断し、端末の受信電力が第４数値以下であり、または端末の受信信号品質が第２数値以下である場合、端末の周波数内測定を行う必要があると判断する第５判断ユニットとを含む。
【０１２３】
１つの実現方式として、前記パラメータ情報は、基地局の送信電力情報、端末の受信電力と比較される第１閾値情報および第１閾値情報の補充情報、および端末の受信の信号対干渉雑音比と比較される第３閾値情報を含み、
前記測定決定ユニットは、
前記基地局の送信電力情報、前記第１閾値情報および第１閾値情報の補充情報に基づいて、端末の受信電力と比較するための第４数値を取得し、前記第３閾値情報に基づいて第３数値を得る第６取得ユニットと、
端末の受信電力と第４数値を比較し、端末の受信の信号対干渉雑音比と第３数値を比較し、端末の受信電力が第４数値より大きくかつ端末の受信の信号対干渉雑音比が第３数値より大きい場合、端末の周波数内測定を行わなくてもよいと判断し、端末の受信電力が第４数値以下であり、または端末の受信の信号対干渉雑音比が第３数値以下である場合、端末の周波数内測定を行う必要があると判断する第６判断ユニットとを含む。
【０１２４】
本開示の一部実施例における方法に基づき、本開示は、周波数内測定始動装置装置を提供する。当該装置は、基地局に設定されることができる。
図１０に示すように、当該装置は、
端末の周波数内測定を始動させるか否かを判断するための拡張済みのパラメータ情報を特定する特定ユニット１０１と、
前記の端末の周波数内測定を始動させるか否かを判断するためのパラメータ情報を端末に送信する送信ユニット１０２とを含む。
【０１２５】
ここで、前記パラメータ情報は、
基地局の送信電力情報、端末の受信電力と比較される第１閾値情報および第１閾値情報の拡張情報、端末の受信信号品質と比較される第２閾値情報、および端末の受信の信号対干渉雑音比と比較される第３閾値情報のうちの１つまたは複数を含み、
ここで、第１閾値情報がその拡張情報とともに、新規の閾値に対応するフィールドを構成し、または、第１閾値情報は、受信電力の比較用の参照閾値を示し、第１閾値情報の補充情報は、当該参照閾値に対応する基地局の参照送信電力を示す。
【０１２６】
図１１を参照し、図１１は、本開示の一部実施例における電子機器の構造図である。図１１に示すように、当該電子機器は、少なくとも１つのプロセッサ１１０１と、メモリ１１０２と、少なくとも１つのネットワークインタフェース１１０４と、ユーザインタフェース１１０３を含む。電子機器における各構成部品は、バスシステム１１０５を介して結合される。バスシステム１１０５は、これらの構成部品の間の接続と通信に用いられることが理解できる。バスシステム１１０５は、データバスのほかに、電源バス、制御バスおよび状態信号バスをさらに含む。ただし、明確に説明するために、図１１において、各種類のバスをすべてバスシステム１１０５として標記している。
【０１２７】
ここで、ユーザインタフェース１１０３は、ディスプレイ、キーボードまたはポインティングデバイス（たとえばマウス、トラックボール（ｔｒａｃｋ  ｂａｌｌ））、タッチパネルまたはタッチスクリーンなどを含む。
【０１２８】
本開示の一部実施例におけるメモリ１１０２は、揮発性メモリまたは非揮発性メモリであり、または、揮発性メモリと非揮発性メモリの両方を含む。非揮発性メモリは、ＲＯＭ（Ｒｅａｄ−Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  Ｐ  ＲＯＭ）、ＥＥＰＲＯＭ（Ｅｌｅｃｔｒｉｃａｌｌｙ  ＥＰ  ＲＯＭ）またはフラッシュメモリである。揮発性メモリは、ＲＡＭ（Ｒａｎｄｏｍ  Ａｃｃｅｓｓ  Ｍｅｍｏｒｙ）であり、外部のキャッシュに用いられる。多くの形態のＲＡＭが使用可能であるが、その例として、例えばＳＲＡＭ（Ｓｔａｔｉｃ  ＲＡＭ）、ＤＲＡＭ（Ｄｙｎａｍｉｃ  ＲＡＭ）、ＳＤＲＡＭ（Ｓｙｎｃｈｒｏｎｏｕｓ  Ｄ  ＲＡＭ）、ＤＤＲＳＤＲＡＭ（Ｄｏｕｂｌｅ  Ｄａｔａ  Ｒａｔｅ  ＳＤ  ＲＡＭ）、ＥＳＤＲＡＭ（Ｅｎｈａｎｃｅｄ  ＳＤ  ＲＡＭ）、ＳＬＤＲＡＭ（Ｓｙｎｃｈ  ｌｉｎｋ  Ｄ  ＲＡＭ）、ＤＲＲＡＭ（Ｄｉｒｅｃｔ  Ｒａｍｂｕｓ  ＲＡＭ）が挙げられるが、それらに限られない。本明細書に記載のシステム及び方法におけるメモリ１１０２は、これらおよびそれら以外の任意の適合する種類のメモリを含むとするが、それらに限られない。
【０１２９】
一部実施例において、メモリ１１０２には、実行可能なモジュールまたはデータ構造、またはそれらのサブセット、または、それらの拡張セットであるオペレーションシステム１１０２１とアプリケーションプログラム１１０２２が記憶されている。
【０１３０】
ここで、オペレーションシステム１１０２１は、フレーム層、コアライブラリ層、駆動層など各種類のシステムプログラムを含み、各種類のベーシックサービスの実現およびハードウェアに基づくタスクの処理に用いられる。アプリケーションプログラム１１０２２は、メディアプレイヤー（Ｍｅｄｉａ  Ｐｌａｙｅｒ）、ブラウザ（Ｂｒｏｗｓｅｒ）など各種類のアプリケーションプログラムを含み、各種類のアプリケーションサービスの実現に用いられる。本開示の一部実施例における方法を実現するプログラムは、アプリケーションプログラム１１０２２に含まれる。
【０１３１】
本開示の一部実施例において、メモリ１１０２に記憶されているプログラムまたは指令を呼び出し、具体的に、アプリケーションプログラム１１０２２に記憶されているプログラムまたは指令を呼び出すことによって、プロセッサ１１０１は、周波数内測定を始動させるか否かを判断するための拡張済みのパラメータ情報を基地局から取得し、前記パラメータ情報に基づいて、周波数内測定を行うか否かを判断する。
【０１３２】
選択可能に、前記パラメータ情報は、端末の受信電力と比較される第１閾値情報および第１閾値情報の補充情報であり、プロセッサ１１０１は、さらに、第１閾値情報および第１閾値情報の補充情報に基づいて、端末の受信電力と比較するための第１数値を取得し、前記第１数値と端末の受信電力に基づいて、周波数内測定を行うか否かを判断する。
【０１３３】
選択可能に、プロセッサ１１０１は、さらに、端末の受信電力が第１数値より大きい場合、端末の周波数内測定を行わなくてもよいと判断するが、端末の受信電力が第１数値以下である場合、端末の周波数内測定を行う必要があると判断する。
【０１３４】
選択可能に、前記パラメータ情報は、端末の受信電力と比較される第１閾値情報および第１閾値情報の補充情報、および端末の受信信号品質と比較される第２閾値情報を含み、プロセッサ１１０１は、さらに、前記第１閾値情報および第１閾値情報の補充情報に基づいて、端末の受信電力と比較するための第１数値を取得し、前記第２閾値情報に基づいて第２数値を取得し、端末の受信電力と第１数値を比較し、端末の受信信号品質と第２数値を比較し、端末の受信電力が第１数値より大きくかつ端末の受信信号品質が第２数値より大きい場合、端末の周波数内測定を行わなくてもよいと判断し、端末の受信電力が第１数値以下であり、または端末の受信信号品質が第２数値以下である場合、端末の周波数内測定を行う必要があると判断する。
【０１３５】
選択可能に、前記パラメータ情報は、端末の受信電力と比較される第１閾値情報および第１閾値情報の補充情報、および端末の受信の信号対干渉雑音比と比較される第３閾値情報を含み、プロセッサ１１０１は、さらに、前記第１閾値情報および第１閾値情報の補充情報に基づいて、端末の受信電力と比較するための第１数値を取得し、前記第２閾値情報に基づいて第２数値を取得し、前記第３閾値情報に基づいて第３数値を取得し、端末の受信電力と第１数値を比較し、端末の受信の信号対干渉雑音比と第３数値を比較し、端末の受信電力が第１数値より大きくかつ端末の受信の信号対干渉雑音比が第３数値より大きい場合、端末の周波数内測定を行わなくてもよいと判断し、端末の受信電力が第１数値以下であり、または端末の受信の信号対干渉雑音比が第３数値以下である場合、端末の周波数内測定を行う必要があると判断する。
【０１３６】
選択可能に、前記パラメータ情報は、基地局の送信電力情報、および端末の受信電力と比較される第１閾値情報および第１閾値情報の補充情報を含み、プロセッサ１１０１は、さらに、前記基地局の送信電力情報、前記第１閾値情報および第１閾値情報の補充情報に基づいて、端末の受信電力と比較するための第４数値を取得し、端末の受信電力と第４数値を比較し、端末の受信電力が第４数値より大きい場合、端末の周波数内測定を行わなくてもよいと判断し、端末の受信電力が第４数値以下である場合、端末の周波数内測定を行う必要があると判断する。
【０１３７】
選択可能に、前記パラメータ情報は、基地局の送信電力情報、端末の受信電力と比較される第１閾値情報および第１閾値情報の補充情報、および端末の受信信号品質と比較される第２閾値情報を含み、
プロセッサ１１０１は、さらに、前記基地局の送信電力情報、前記第１閾値情報および閾値情報の補充情報に基づいて、端末の受信電力と比較するための第４数値を取得し、前記第２閾値情報に基づいて第２数値を取得し、端末の受信電力と第４数値を比較し、端末の受信信号品質と第２数値を比較し、端末の受信電力が第４数値より大きくかつ端末の受信信号品質が第２数値より大きい場合、端末の周波数内測定を行わなくてもよいと判断し、端末の受信電力が第４数値以下であり、または端末の受信信号品質が第２数値以下である場合、端末の周波数内測定を行う必要があると判断する。
【０１３８】
本開示の実施例において、コンピュータプログラムが記憶されているコンピュータ読み取り可能な記憶媒体をさらに提供する。前記コンピュータプログラムがプロセッサによって実行されると、前記いずれか１つの方法実施例における方法のステップが実現される。
【０１３９】
本明細書に開示された実施例に記載の各例のユニットおよびアルゴリズムのステップが、電子ハードウェア、またはコンピュータソフトウェアと電子ハードウェアの組み合わせによって実現可能であることは、当業者が理解できる。これらの機能がいったいハードウェアによって実行されるか、それともソフトウェアによって実行されるかは、技術手段の特定な応用や設計の制限条件によって決められる。当業者は、各特定な応用に対し、異なる方法によって記載の機能を実現することができるが、これらの実現は、本開示の範囲を超えたものとされるべきではない。
【０１４０】
記載の便利や簡潔化のために、以上記載したシステム、装置及びユニットの具体的な動作プロセスは、前記方法実施例における対応プロセスを参照されたく、ここでは繰り返して記載しない。これは、当業者にとって自明である。
【０１４１】
本願で提供されるいくつかの実施例において、開示された装置および方法は、他の方式で実施され得ることを理解されたい。以上記載した装置実施例は、単に例示的なものである。例えば、記載したユニットの区分は、単に論理機能の区分であり、実際に実現する際に別の区分方式がある。例えば、複数のユニットまたはコンポーネントは、組み合わせてもよく、別のシステムに一体化されてもよく、または、一部の特徴は、無視されてもよく、または実行されなくてもよい。また、示されておりまたは議論されている各構成部分の相互間の結合や直接結合や通信接続は、インタフェース、装置またはユニットを介した間接結合や通信接続であってもよく、電気的、機械的、または他の形式であってもよい。
【０１４２】
以上個別部品として説明したユニットは、物理的に離間したものであってもよく、そうでなくてもよい。ユニットとして示した部品は、物理ユニットであってもよく、そうでなくてもよい。すなわち、一箇所に位置してもよく、複数のネットワークユニットに位置してもよい。実際の必要に応じてそのうちの一部またはすべてのユニットを選択して本開示の実施例の目的を実現する。
【０１４３】
また、本開示の各実施例における各機能的ユニットは、１つの処理ユニットに一体化されていてもよいし、物理的に別々に設けられていてもよいし、２つ以上が一体化されてもよい。
【０１４４】
前記一体化ユニットは、ソフトウェア機能モジュールの形式で実現され独立した製品として販売または使用される場合、コンピュータ読み取り可能な記憶媒体に格納されてもよい。このような理解に基づき、本開示の技術手段の実質的または従来技術に貢献した部分、または当該技術手段の部分は、ソフトウェアプロダクトの形式で現れる。当該コンピュータソフトウェアプロダクトは、記憶媒体に記憶され、本開示の各実施例に記載の方法のすべてまたは一部のステップをコンピュータ装置（パーソナルコンピュータ、サーバ、又はネットワーク装置であってもよい）に実行させるいくつかの指令を含む。前記記憶媒体は、Ｕディスク、モバイルハードディスク、ＲＯＭ、ＲＡＭ、磁気ディスクまたは光ディスクなど、プログラムコードを格納することができる様々な媒体を含む。
【０１４５】
以上の記載は、本開示の具体的な実施形態であるが、本開示の保護範囲は、これらに限定されない。当業者が本開示によって開示されている技術範囲内で容易に想到できる変化や置換は、すべて本開示の保護範囲内に含まれる。よって、本開示の保護範囲は、特許請求の範囲の保護範囲を基準とするべきである。
【国際調査報告】
2020517180.tif 000020
2020517180.tif 000021
2020517180.tif 000022
2020517180.tif 000023